(57)【要約】  追加印刷処理中に可撓性の二次元製品（３０、３２、３６、３８）を処理するための方法であって、少なくとも１つの製品がＲＦＩＤタグ（１００、２００、２００ａ、２００ｂ）を備え付けられている。ＲＦＩＤタグ（１００、２００、２００ａ、２００ｂ）は、少なくとも一部分の制御情報、及び／又は少なくとも一部分の製品情報を含む。この情報は、製品（３０、３２、３６、３８）向けに作業ステップを検査、及び／又は制御するために使用される。【選択図】  図８
2010505716.tif 000002
【特許請求の範囲】
【請求項１】
追加印刷処理中に可撓性の二次元製品を処理するための方法において、
少なくとも１つの製品（２、２ａ、２ｂ、２ｃ、２ｄ、２ｅ、２ｆ、２ｇ、２ｈ）が、追加印刷処理中に少なくとも１つの作業ステップを制御する少なくとも一部分の制御情報及び／又は少なくとも一部分の製品情報を有するＲＦＩＤタグ（１００、２００、２００ａ、２００ｂ）を備え付けられていることを特徴とする方法。
【請求項２】
前記可撓性の二次元製品（２、２ａ、２ｂ、２ｃ、２ｄ、２ｅ、２ｆ、２ｇ、２ｈ）が印刷製品であり、好ましくはマルチパート印刷製品であり、少なくとも１つの主製品（３０、３０ａ）及び１つ又は複数の副製品（３２、３２ａ、３２ｂ）を備えることを特徴とし、少なくとも１つの前記主製品及び／又は副製品、特に挿入シート、はがき、及び／又は広告用サンプルが、追加印刷処理中に少なくとも１つの作業ステップを制御する少なくとも一部分の制御情報及び／又は少なくとも一部分の製品情報を有するＲＦＩＤタグ（１００、２００、２００ａ、２００ｂ）を備え付けられていることを特徴とする、請求項１に記載の方法。
【請求項３】
前記少なくとも１つの作業ステップが、搬送するステップ、記憶するステップ、挿入するステップ、収集するステップ、組み立てるステップ、ステープルで固定するステップ、ページを繰るステップ、挿入物を配置するステップ、接着するステップ、切断するステップ、宛先指定するステップ、梱包するステップの少なくとも１つを備えることを特徴とし、又は前記作業ステップが検査ステップであることを特徴とする、請求項１に記載の方法。
【請求項４】
少なくとも１つの前記主製品及び／又は副製品（３０、３０ａ）が、少なくとも１つの追加主製品及び／又は副製品（３２、３２ａ、３２ｂ）及び／又は挿入物上の少なくとも１つの追加ＲＦＩＤタグ（２００）と協働するＲＦＩＤタグ（１００）を備え付けられていることを特徴とし、それにより追加印刷処理中に前記印刷製品の組立についての少なくとも一部分の情報が非接触に読み取り可能であることを意味することを特徴とする、請求項１又は２に記載の方法。
【請求項５】
前記少なくとも２つのＲＦＩＤタグ（１００、２００、２００ａ、２００ｂ）が、伝達ユニットからの出力信号を共同で調節し、その結果、少なくとも１つの共同応答信号が生成されることを特徴とする、請求項３に記載の方法。
【請求項６】
前記出力信号に比較して、前記応答信号が少なくとも調整された振幅及び／又は周波数を有することを特徴とする、請求項４に記載の方法。
【請求項７】
前記ＲＦＩＤタグ（１００、２００、２００ａ、２００ｂ）上に記憶された前記少なくとも一部分の制御情報及び／又は少なくとも一部分の製品情報が一部分の１ビット情報又は一部分のマルチビット情報であることを特徴とする、請求項１〜６のいずれか一項に記載の方法。
【請求項８】
前記少なくとも１つのＲＦＩＤタグ（１００、２００、２００ａ、２００ｂ）が、任意の位置で前記ＲＦＩＤタグによって識別される前記製品（２、２ａ、２ｂ、２ｃ、２ｄ．２ｅ、２ｆ、２ｇ、２ｈ）に取り付けられることを特徴とする、請求項６に記載の方法。
【請求項９】
前記少なくとも１つのＲＦＩＤタグ（１００）が、決められた位置で前記ＲＦＩＤタグ（１００）によって識別される前記製品（２）に取り付けられ、その結果、前記ＲＦＩＤタグ（１００）の位置が追加の一部分の情報として使用され得ることを特徴とする、請求項６に記載の方法。
【請求項１０】
前記少なくとも１つのＲＦＩＤタグ（１００、２００、２００ａ、２００ｂ）が、読み込み／書き込み可能であるＲＦＩＤタグ（１００、２００、２００ａ、２００ｂ）であることを特徴とする、請求項１〜９のいずれか一項に記載の方法。
【請求項１１】
前記少なくとも１つのＲＦＩＤタグ（１００、２００、２００ａ、２００ｂ）が、少なくとも１つのアンテナを備える受動的に応答するＲＦＩＤタグであることを特徴とする、請求項１〜８のいずれか一項に記載の方法。
【請求項１２】
前記少なくとも１つのＲＦＩＤタグ（１００、２００、２００ａ、２００ｂ）が、動作可能なように前記ＲＦＩＤタグに接続されているアンテナ及びチップを備える能動的に応答するＲＦＩＤタグ（１００、２００、２００ａ、２００ｂ）であることを特徴とする、請求項１〜９のいずれか一項に記載の方法。
【請求項１３】
前記少なくとも１つのＲＦＩＤタグ（１０ａ）が印刷処理（１１ａ）の中で、前記ＲＦＩＤタグ（１０ａ）を備え付けられる前記製品（２ａ）上に直接作成されることを特徴とする、請求項１〜１２のいずれか一項に記載の方法。
【請求項１４】
前記少なくとも１つのＲＦＩＤタグ（１０ｂ）が、事前に作成され、追加のステップの中で前記ＲＦＩＤタグ（１０ｂ）を備え付けられる前記製品（２ｂ）に取り付けられることを特徴とする、請求項１〜１１のいずれか一項に記載の方法。
【請求項１５】
前記少なくとも１つのＲＦＩＤタグ（１０ｂ）が、前記ＲＦＩＤタグ（１０ｂ）を備え付けられる前記製品（２ｂ）に取り付けられる前に、前記ＲＦＩＤタグ（１０ｂ）に書き込まれる少なくとも１ビットを備える一部分の製品情報及び／又は一部分の制御情報を有することを特徴とする、請求項１４に記載の方法。
【請求項１６】
前記少なくとも１つのＲＦＩＤタグ（１０ａ、１０ｂ）が、前記ＲＦＩＤタグ（１０ａ、１０ｂ）が備え付けられる前記製品（２ａ、２ｂ）に取り付けられ、又は前記製品（２ａ、２ｂ）上に作成された後、前記ＲＦＩＤタグ（１０ａ、１０ｂ）に書き込まれる少なくとも１ビットを備える一部分の製品情報及び／又は一部分の制御情報を有することを特徴とする、請求項１３及び１４のいずれか一項に記載の方法。
【請求項１７】
前記少なくとも一部分の制御情報及び／又は少なくとも一部分の製品情報が、適切な設計の読み取りステーション又は読み取り／書き込みステーション（１２、１２ａ）で読み取られることを特徴とする、請求項１〜１６のいずれか一項に記載の方法。
【請求項１８】
前記読み取られた情報が、上位のシステム（５０）又は前記関連する製品に関連付けられた運搬手段に伝達され、この情報が好ましくは、関連する製品又は読み取られた情報を有する製品と直接関連付けられた運搬手段上のクランプ（Ｋ、Ｋ’、Ｋ’’、Ｋ’’’、Ｋ’’’’）に伝達されることを特徴とする、請求項１７に記載の方法。
【請求項１９】
追加の一部分の情報、及び／又は少なくとも一部分の制御情報、及び／又は少なくとも一部分の製品情報が、適切な設計の書き込みステーション又は読み取り／書き込みステーション（１２、１２ａ）を使用して製品（２、２ａ、２ｂ、２ｃ、２ｄ、２ｅ、２ｆ、２ｇ、２ｈ）のＲＦＩＤタグ（１００、２００、２００ａ、２００ｂ）のメモリに書き込まれることを特徴とする、請求項１〜１６のいずれか一項に記載の方法。
【請求項２０】
追加印刷処理中に使用可能である、製品、好ましくは可撓性の二次元製品（２、２ａ、２ｂ、２ｃ、２ｄ、２ｅ、２ｆ、２ｇ、２ｈ）において、
前記製品（２、２ａ、２ｂ、２ｃ、２ｄ、２ｅ、２ｆ、２ｇ、２ｈ）が、少なくとも一部分の制御情報、及び／又は追加印刷処理中に及び／又は少なくとも１つの次の検査ステップ中に、少なくとも１つの次の作業ステップを制御するために適する少なくとも一部分の製品情報を有する少なくとも１つのＲＦＩＤタグ（１００、２００、２００ａ、２００ｂ）を備えることを特徴とする製品。
【請求項２１】
前記少なくとも一部分の制御情報、及び／又は少なくとも一部分の製品情報が、適切な設計の読み取りステーション又は読み取り／書き込みステーション（１２、１２ａ）に伝達され、又は適切な設計の読み取りステーション又は読み取り／書き込みステーション（１２、１２ａ）から伝達されることができることを特徴とする、請求項２０に記載の製品。
【請求項２２】
前記製品（２、２ａ、２ｂ、２ｃ、２ｄ、２ｅ、２ｆ、２ｇ、２ｈ）が、少なくとも１つの主製品（３０、３０ａ）及び少なくとも１つの副製品（３２、３２ａ、３２ｂ）を備えることを特徴とし、前記主製品（３０、３０ａ）及び少なくとも１つの副製品（３２、３２ａ、３２ｂ）又は少なくとも２つの副製品（３２、３２ａ、３２ｂ）がそれぞれ、少なくとも１つのＲＦＩＤタグ（１００、２００、２００ａ、２００ｂ）を備え付けられ、前記少なくとも２つのＲＦＩＤタグ（１００、２００、２００ａ、２００ｂ）が、前記ＲＦＩＤタグ（１００、２００、２００ａ、２００ｂ）に含まれた前記制御情報及び／又は前記製造情報が読み取られるとき、共同の応答信号を生成する、請求項２０又は２１に記載の製品。
【請求項２３】
複数の副製品（３２、３２ａ、３２ｂ）を含むバー（４０）において、
前記バー（４０）が、その中に含まれた副製品（３２、３２ａ、３２ｂ）の方向に関する少なくとも一部分の製品情報及び／又は位置情報を含む追加のＲＦＩＤタグ（３００）を有することを特徴とするバー（４０）。
【請求項２４】
請求項１〜１９のいずれか一項に記載の方法に基づく印刷製品を生産するためのシステム。
【発明の詳細な説明】
【発明の分野】
【０００１】
本発明は、請求項１の序文に基づく可撓性の二次元製品及び請求項１６の序文に基づく可撓性の二次元製品を処理するための方法に関し、並びに請求項１７の序文に基づく可撓性の二次元製品を製造するためのシステムに関する。
【発明の背景】
【０００２】
先行技術は、無線周波数個体識別送受信機（以後、ＲＦＩＤタグと称される）を開示し、識別力を有するラベル（ＲＦＩＤ又は短縮してスマートラベルとも称される）の中でのその使用が益々重要になっている。データが電波により非接触にＲＦＩＤタグとトランシーバとの間の視認なしに伝達されることを可能にするＲＦＩＤ技術の基礎は既知であり、この時点ではさらに説明を必要としない。
【０００３】
無線データ伝達のためのシステム、例えば、ＲＦＩＤタグを備え付けられた製品の個体識別のためのシステムは、通常、次の３つの構成要素：ＲＦＩＤタグ、タグからのデータを読み取り、タグにデータを書き込むために使用されるトランシーバ及び関連するデータを管理する上位のＩＴシステムを備える。ＲＦＩＤタグに電力を供給することに関して、受動ＲＦＩＤタグ、半能動ＲＦＩＤタグ、能動ＲＦＩＤタグの区別があり、以下の本文では、トランシーバによって生成され、アンテナを介して構内での誘導性結合又は容量性結合によって受信される電磁場から電力を得る受動ＲＦＩＤタグのみを詳細に考察する。
【０００４】
誘導性結合を有するシステムは、現在、３０〜５００ＫＨｚ、好ましくは１００〜１３５ＫＨｚの低周波数域で１メートルまでの範囲で主に動作し、３〜３０ＭＨｚ、好ましくは１３．５６ＭＨｚの高周波数域で約１．７メートルの範囲で主に動作する。周波数域に類似して、低周波数（ＬＦ：ｌｏｗ  ｆｒｅｑｕｅｎｃｉｅｓ）ではデータ伝送速度及び購入価格は共に低い。ＬＦ−ＲＦＩＤタグは、通常、２ｋｂｉｔまでの記憶容量を有するチップに取り付けられる。高周波数（ＨＦ：ｈｉｇｈ  ｆｒｅｑｕｅｎｃｉｅｓ）では、データ伝送速度は高速だが価格が高く、同様に範囲も約１．７メートルに相当する。記憶の型によって、利用できる記憶スペースは、簡単な個体識別番号の記憶から、例えば、製造者、賞味期限、製造日、売価など複雑なデータの記憶までの範囲にわたる。
【０００５】
現在、既知の受動ＲＦＩＤタグの製造価格の約５０％が実際のチップ（以後、ＩＣタグとも称される）に帰することができ、価格の残り５０％はコイル又はアンテナ（以後、アンテナと称される）の形態の結合要素、アンテナとチップとの間の接続部、追加の受動構成要素及びタグ向け支持材料に帰することができる。
【０００６】
無線データ送信のための非常に簡単なシステムが、送受信機機能が本質的にアンテナ又は他の結合要素によって引き受けられる、ＩＣタグのないタグを備える。この種の簡単な送受信機は、一部分の１ビット情報用電子データ記憶媒体として働き、従って、以後１ビットタグと言及される。適切な範囲内で適切にカスタマイズされたリーダの送受信範囲内で、作動中の１ビットタグの存在が検出されることが可能であり、それにより最も簡単な場合、一部分の１ビット情報として送受信機の存在又は非存在を「読み取る」ことができることを意味する。この種のＩＣのない１ビットタグの使用は、窃盗から商品を保護するためのシステムで広く行き渡っている。
【０００７】
しばしば、これは、コンデンサと共に共振回路を形成する電気伝導コイルを有する無線周波数タグの使用を含む。トランシーバによって生成され、無線周波数タグの共振周波数に調和する無線周波数電磁気界の中で、共振回路はエネルギーを吸収することにより伝達されたシステムの電力を調整し、結果的にトランシーバによって検出されることができる。共振回路は、コンデンサを過充電することにより、従って、共振回路から離調することにより、不可逆的に電気的に非稼働化され得る。
【０００８】
例えば帯磁しやすい材料の細長い帯を備える電磁気タグは、例えば１０Ｈｚ〜２０ｋＨｚの周波数でシヌソイドの交流磁気界の中で飽和点まで磁化されることができ、次いで、交流磁気界で高調波によって検出され得る。電磁タグは、既知の方法で可逆的に稼働化及び非稼働化され得る。
【０００９】
追加１ビットタグは、高調波を有するトランシーバによって送信された電波に応答し、それにより、トランシーバの受信範囲内でそれらの存在をシステムに知らせるので、高調波タグとして既知である。高調波タグは、音響磁気タグのように、帯磁しにくい要素に取り付けられる非晶質金属の細長い帯の使用を含むことが好ましい。これらのタグは、帯磁しにくい要素の磁気化及び高調波配置内の付随する変化により、可逆的に非稼働化され得る。帯磁しにくい要素の異なる配置により、様々な高調波パターンを有するタグが製造可能であり、その結果、異なるタグが個々に検出され得る。
【００１０】
指定周波数範囲（例えば、ラジオ局、携帯ラジオ、携帯電話など）内での障害を避けるために、国、地方及び／又は国際無線通信規則が、どの周波数帯が特にＲＦＩＤの適用に利用可能であるかを厳密に規定する。最初に、工業、科学、医療適用向けに認可されているＲＦＩＤの適用がＩＳＭ周波数を使用することができる。
【００１１】
日立株式会社は「μ−チップ」と呼ばれる小型ＲＦＩＤタグ供給し、「μ−チップ」はわずか０．１５×０．１５ｍｍの大きさ及び７．５ミクロン（ｍｉｃｒｏｎ）の厚さを有する。同社は、現在わずか０．０５×０．０５ｍｍ×５μｍの大きさであり（アンテナのない）、３８桁のＩＤコードを保時するための１２８ビットＲＯＭを有する９０ナノメートルプロセスを使用して製造されたＲＦＩＤチップの試作品を提供した。これらのＲＦＩＤチップのＲＯＭは、実際の製造中に電子ビームを使用してそれに書き込まれた情報を有することができる。２．４５ＧＨｚでの伝達範囲は３０センチメートルである。
【００１２】
タグの製造中に、アンテナ及び任意のコンデンサの両方及び／又はＩＣは、印刷方法によって製造されることができる。以下に詳しく説明するように、従来技術で考察された製造方法は例えばアンテナを含み、そのアンテナはスクリーン印刷方法によって又はインクジェット方法によってフィルム上に取り付けられ、次いでこれらのフィルムは貼り合わされ、追加加工処理されて、粘着性ラベルを形成する。
【００１３】
国際公開第２００５／０２１２７６号パンフレットは、既知の方法で機能性インクを使用するオンライン処理内で回路基板を印刷ばかりでなく機能性電気伝導性又は電気半伝導性を使用する印刷もまた提案する。追加の機能のために提案された出願実施例は、回路基板、例えば梱包上に無線周波数個体識別送受信機を生成することである。第１の実施形態によると、ＲＦＩＤ送受信機用アンテナだけが印刷され、次いでチップがインラインのアンテナに接着されて、電気的接触を作成するようになる。第２の実施形態によると、印刷装置は、ＲＦＩＤ送受信機の稼働構成要素のすべてを印刷する複数のステップの中でもまた使用され、トランジスタは半導体チップを形成するように接続される。
【００１４】
独国特許第１０  ２００５  ０２６１２７号明細書は、印刷機械の中のインラインのようにＲＦＩＤタグ又はアンテナだけが回路基板上に取り付けられ、多彩インクで刷り重ねられ、及びインラインで検査される。
【００１５】
独国特許第１０３３５２３０号明細書は、スマートラベルとして既知のＲＦＩＤタグを製造するための様々な方法を記載している。
【００１６】
前述の保護的な権利の報の共通の特徴は、提案された使用範囲が商品上に接着するラベルの印刷又は商品用外側梱包、特に薬剤の梱包上への印刷であることである。印刷産業では、現在高い読み取りレベルを経験しているＲＦＩＤタグを使用することに関して、個々の製品、例えば新聞を識別することは単に価格の理由から適切ではないという意見である。「Ｅｉｎｓａｔｚ  ｖｏｎ  Ｒａｄｉｏ  Ｆｒｅｑｕｅｎｃｙ  Ｉｄｅｎｔｉｆｉｃａｔｉｏｎ  ｉｎｄｅｒ  Ｚｅｉｔｕｎｇｓｐｒｏｄｕｋｔｉｏｎ」〔新聞製造で無線周波体個体識別を使用すること〕と題するＩＦＲＡ特別報告０４／２００６（Ｉｆｒａ、Ｗａｓｈｉｎｇｔｏｎｐｌａｔｚ  １、６４２８７  Ｄａｒｍｓｔａｄｔ、Ｇｅｒｍａｎｙ）は、新聞印刷店から発送された梱包上に取り付けられるＲＦＩＤタグの使用を実行不可能であるとして拒絶さえしている。在庫受取及び保管業務に関する作業の連続のための使用のみに有望である。
【００１７】
追加印刷中に従来の高容量印刷からの印刷製品、即ち主製品及び／又は副製品の個体識別は、高い維持費のかかる機械的システム及び間違いやすいシステムによる既知の解決策を取る。既知の光学的システムでは、画像認識による印刷製品の個体識別が非常に複雑なシステムとなり、その複雑さはそれらのシステムがより間違いやすくなり、及び／又は失敗及び関連するシステムの停止を招きがちな高性能の上位制御システムを必要とすることを意味する。
【発明の概要】
【００１８】
従って、本発明の目的は、上述の欠点を避ける、可撓性の二次元製品、好ましくはマルチパート印刷製品を製造する方法及びシステムを提供することである。
【００１９】
本発明の目的はまた、個体認識能力の選択的な段階を可能にする安価な印刷製品の製造を可能にする、可撓性の二次元製品、好ましくはマルチパート印刷製品を製造するための新規な方法及びシステムを提供するために、追加印刷処理中に、既知の高容量な方法及びシステムを広範囲に利用することである。この目的は、非常に様々な型の印刷製品用、例えば、製品挿入物を有する広範囲の組み立てられた及び／又はステープルで固定された印刷製品用にもまた達成するように意図するものである。
【００２０】
本発明の別の目的は、宛先指定される製品及び宛先指定された製品用の正確な宛先指定及び詳細には正確なシーケンスを容易に安価に可能にし、従って、機械の複雑さをまったく増加させずに相対的に高い効率で次の配送を可能にする方法及びシステムを提供することである。
【００２１】
この目的は、請求項１、１６、及び１７の特徴部分に含まれる特徴により達成される。
【００２２】
本発明による方法は、好ましくは従来の高容量印刷方法、例えば、輪転印刷を使用する拘束組版を使用して製造される可撓性の二次元製品、好ましくは印刷製品を含み、高容量印刷装置中又は高容量印刷装置と、印刷装置の下流に結合された第１の追加処理装置との間のＲＦＩＤタグの形態の識別手段を備え付けられる。識別手段は、製品を識別するために少なくとも一部分の１ビット情報を運び、その製品を識別可能にする。この個体識別を可能にすることは、その後識別としてもまた言及される。対照的に、製品のグループが同一の識別情報を有するＲＦＩＤタグを備え付けられることもまた可能であり、本出願の状況内でオムニフィケーション（ｏｍｎｉｆｉｃａｔｉｏｎ）として言及されるであろう。実施例として、オムニフィケーションは地域特定副製品に適切である。
【００２３】
本発明による方法は、可撓性の二次元製品を製造するために使用される。好ましい実施形態に沿って、少なくとも主製品及び／又は１つ若しくは複数の副製品を備えるマルチパート印刷製品が製造される。以下の本文では副製品という用語もまた、その表現が明確に他の意味でないならば、挿入シート、はがき又は折り込み広告製品、ＣＤなどを意味すると理解されるように意図するものである。主製品及び／又は副製品、挿入シート、はがき、折り込み広告などの少なくとも１つが、少なくとも一部分の１ビット制御情報、及び／又は追加印刷処理中に少なくとも１つの作業ステップを直接又は間接に制御する少なくとも一部分の製品情報を有するＲＦＩＤタグを備え付けられている。直接の制御の場合、ＲＦＩＤタグから読み取られた情報が、好ましくは上位制御装置を含まずに、少なくとも１つのワークステーションで作業ステップを誘発する。地域特定の副製品Ｒ及び副製品Ｒ内に挿入された地域特定の折り込み広告Ｗ付きの日刊新聞を製造するとき、実施例として、副製品ＲのＲＦＩＤタグからの信号を使用して、フィーダに折り込み広告Ｗを供給する挿入作業を誘発するように直接制御が使用されることができる。正確な挿入のために、フィーダの制御機は上位制御ユニットと接触する必要はなく、むしろ折り込み広告Ｗを備え付けられた副製品ＲのＲＦＩＤタグから読み取られた情報が、認識され、折り込み広告Ｗの誘発として使用されれば十分である。他の地域特定製品の場合、Ｒ向けフィーダは休止状態である。
【００２４】
一方、間接制御の場合、ＲＦＩＤタグから読み取られた情報は、上位制御装置に転送され、処理され、少なくとも１つのワークステーションで作業ステップを誘発する信号が生成される。
【００２５】
ＲＦＩＤタグによって制御される少なくとも１つの作業ステップは、搬送するステップ、在庫するステップ、挿入するステップ、収集するステップ、組み立てるステップ、ステープルで固定するステップ、ページを繰るステップ、折り曲げるステップ、挿入物を配置するステップ、接着するステップ、切断するステップ、宛先指定するステップ又は梱包するステップの１つを備えることが望ましい。作業ステップは、検査ステップでもあり得る。
【００２６】
新しい方法に沿って、少なくとも１つの主製品及び／又は副製品が、少なくとも１つの別の主製品及び／又は副製品及び／又は挿入物の少なくとも１つの別のＲＦＩＤタグと協働するＲＦＩＤタグを備え付けられることが好ましい。これにより、印刷製品又は印刷製品のグループの組立についての少なくとも一部分の情報が、追加印刷処理中に非接触に読み取られることができる。この少なくとも２つのＲＦＩＤタグは、伝達ユニットからの出力信号を共同で調整し、その結果、少なくとも１つの共同応答信号が生成される。２つのＲＦＩＤタグによって影響を受けるこの応答信号もまた、合成応答信号として言及され、又はコンビ信号とも呼ばれる。この応答信号は、少なくとも振幅及び／又は周波数の点から、協働するＲＦＩＤタグによる出力信号に比較して調整される。
【００２７】
ＲＦＩＤタグに記憶された少なくとも一部分の制御情報及び／又は少なくとも一部分の製品情報は、一部分の１ビット又は一部分のマルチビット情報である。情報は、ＲＦを印された製品の存在が確立されることを可能にする一部分の１ビット情報から一部分のキロビット又はメガビット情報までもの範囲にわたることが可能であり、それにより、テキスト、画像及び／又は音声資料又はその組合せの形態の製品特定の追加情報の記憶まですべての単体印刷製品の個体識別を可能にする。
【００２８】
ＲＦＩＤタグの読み取りは視認が必要ではなく、使用されるＲＦ技術は数センチメートルから１メートルまでから読み取り可能であるので、識別される製品上のタグの位置はそれに設定された狭い範囲を有するものではない。
【００２９】
好ましくは、割り付けに利用できる空き領域に悪影響を及ぼさないように、タグは、例えば折り曲げ部に配置される。
【００３０】
もし少なくとも１つのＲＦＩＤタグが指定される位置において、それにより識別される製品に取り付けられるならば、この指定されたＲＦＩＤタグの位置は、搬送用又は在庫用製品の位置及び向きについての追加の一部分の情報として使用され得る。
【００３１】
本発明に基づく好ましい実施形態では、少なくとも１つのＲＦＩＤタグは、アンテナ及び動作可能に結合されたＩＣ、詳細にはチップ上に配置されたＩＣを備える、読み取り／書き出し可能なＲＦＩＤタグ、好ましくは受動ＲＦＩＤタグである。本発明の好ましい実施形態に沿って、少なくとも１つのＲＦＩＤタグが、タグを備え付けられる製品上に直接印刷処理中に作成され、又は事前に作成されたＲＦＩＤタグが別の作業ステップの中でタグを備え付けられる製品に取り付けられる。
【００３２】
本発明による１ビットＲＦＩＤタグは、タグを備え付けられる製品上に直接作成され、作成に続いて、書き込まれた少なくとも１ビットを備える一部分の製品情報及び／又は制御情報を有し、又はすでに所望の１ビット情報を備えるように作成されることが好ましい。
【００３３】
本発明に基づくマルチビットＲＦＩＤタグは、好ましくはタグを備え付けられる製品上に作成された後に、又は別に作成されたＲＦＩＤタグの場合はタグを備え付けられる製品に取り付けられた後に、書き込まれた少なくとも１ビットを備える一部分の製品情報及び／又は制御情報を有する。
【００３４】
本発明の第１の好ましい実施形態に沿って、識別手段は、印刷方法の中で印刷製品上に取り付けられ、追加印刷処理中に非接触に、且つタグと読み取り／書き込みユニットとの間の視認なしに読み取り及び／又は変更可能な１ビットＲＦＩＤタグを備える。
【００３５】
本発明の別の好ましい実施形態に沿って、ＲＦＩＤタグは印刷製品内に又はその製品に直接に取り付けるのではなく、むしろ印刷製品と分離可能で、一時的な直接の物理的関係を有する。この場合、識別手段は、実施例として、特定の期間、及び例えばはしご状コンベア上の停止又はグラブ型運搬装置上のグラブなどの輸送経路の特定の区間に印刷製品に関連付けられた運搬ユニットの中で形成されてもよい。別の実施形態に沿って、ＲＦＩＤタグは、バッファ及び／又は記憶ラインの装置部品上に配置されてもよく、バッファ及び／又は記憶ラインは特定の期間及びバッファライン又は記憶経路内の特定の区間に個々の印刷製品又は印刷製品のグループに関連付けられる。
【００３６】
印刷製品が直接ＲＦＩＤタグを備え付けられる好ましい実施形態に沿って、ＲＦＩＤタグは、高容量印刷処理中に印刷製品に直接取り付けられ、又はともかく第１の下流の取扱いステーションの前に、追加処理のためにインターフェース上の印刷処理の下流に直接取り付けられる。好ましくは、このようにして識別されるのは少なくとも主製品である。複雑な方法で組み立てられた印刷製品の場合、実施例として、主製品及び複数の第１の順位の副製品及び／又は折り込み広告を備え、それら自体が、挿入された副製品（第２の順位）、第１の順位の及び／又は高順位の副製品を含み、又はこれらのみがＲＦＩＤタグを備え付けられていることもまた好ましい。
【００３７】
図３に示すように、識別は製品グループの中の個々の製品に限定することもまた可能である。この場合、搬送ライン又は在庫ラインに沿う製品の流れの中ですべての単一の製品がＲＦＩＤタグを備え付けられているわけではなく、むしろＲＦＩＤタグを有する識別済み製品が、ＲＦＩＤタグを備え付けられない１つ又は複数の関連する製品を備える。製品グループが識別されるとき、ＲＦＩＤタグを備え付けられた追加の製品が取扱いステーションを再び不稼働化するまで、搬送方向の前部に配置されるＲＦＩＤタグを有する製品は、タグに制御されて、すべての後に続く製品のために取扱いステーションを稼働化することができる。製品流れ中の製品グループが規則的組合せを有することができ、又は異なる大きさを有することもできる。
【００３８】
しかし、わかりやすいように、本発明の根本概念及び基礎的な利点が１ビットＲＦＩＤタグを備え付けられた日刊新聞向け主製品の実施例を使用して、最初に説明される。伝導性インクを有するＲＦＩＤタグは、例えば、輪転部門の中又は後にデジタル印刷ユニット（例えば、インクジェットプリンタ）を使用して、適切な地域の各主製品の上に印刷される。ＲＦＩＤタグは、内側折り曲げ部に位置することが好ましく、その結果、任意の欄外裁ち切りページの発生で切り落とされず、割り付けに悪影響を及ぼすことはない。実施例として、ＲＦＩＤタグは、共振回路を形成するコンデンサを有する印刷済み伝導コイルを備える。ＲＦＩＤタグが、読み取り及び／又は書き込みユニットによって生成される電磁無線周波数界に入るとき、この電磁無線周波数界は無線周波数タグの共振周波数に同調し、共振回路は伝達されたシステムの電力を、エネルギーを吸収することにより調整し、結果としてトランシーバによって検出されることが可能になる。この効果は図４のような概略グラフに示すことができ、図４では信号強度Ｉが、ｘ軸上の周波数Ｆに対してｙ軸上に点をつないで表示される。読み取り／書き込みユニットの領域にＲＦＩＤタグがないとき、曲線Ａで示される出力信号は、調整されず、応答信号は本質的に変更されない振幅ａＡである。ＲＦＩＤタグが存在するときは、信号の振幅は既知の方法で調整され、本実施例では応答信号の信号強度はａＢの強度に低減される。応答信号の信号強度の個々の減少が、ＲＦＩＤタグが備え付けられた１つの製品が存在することをシステムに示す。ＲＦＩＤタグが備え付けられた２つの製品が読み取り範囲内にあるならば、応答信号の信号強度は再びａＣまで減少する。ＲＦＩＤタグが備え付けられた第３の製品が読み取り範囲内にあるならば、信号強度はａＤまで減少する。図４に示す出力信号又は呼びかけ信号及び応答信号との間の相対的な強度又は振幅の差は、産業に使用される広範囲の様々な干渉要因によって影響を受ける。好ましくは、周波数、出力エネルギー、信号強度、読み取り／書き込みユニットからＲＦＩＤタグまでの距離（検出範囲）、所定の読み取り位置の指定などのシステムパラメータは、従って、呼びかけ信号及び応答信号の振幅が１つずつ適切な距離Δによって分離されるように選択され、その結果、読み取り／書き込みユニットによって受信された応答信号は、約±Δ／２の帯域幅の振幅を変動することができるが、しかし正確に検出され、明確に関連付けられる。
【００３９】
印刷製品の追加処理から既知の問題は、本発明のシステムを使用して見事に解決可能である。クランプ型運搬装置では、様々な変形実施形態の中で長年出願人によって知られてきたように、例えば、欧州特許第３３０８６８号明細書、欧州特許第５５７６８０号明細書及び欧州特許第６００１８３号明細書では、しばしば２つの同じ印刷製品が、容量を増加させるために１つのクランプ内に運搬される。各クランプが正確に２つの製品を保持することを保証するために、クランプ内の２つの製品の存在が、例えば光学的に検出される。十分な正確さで光学的な検出を容易にするために、２つの製品は、例えば同じ高さではなく互いに相対的に垂直にずらされたクランプ内に保持される。しかし、２つの製品が、この種の検出中に互いに必要な相対的位置に必要な正確さでクランプ内に配置されないならば、たとえクランプが２つの製品に正確に装填されるとしても、光学的検出システムは間違いのメッセージを生成する。本発明によると、検出されるものが互いの製品の位置ではなく、製品の実際の存在であるので、この検出は次にかなり簡単なものとなり、間違いの比率は減少する。クランプ内の２つの製品の所望のグループが存在すれば、このシステムは読み取り／書き込みユニットに振幅ａＣを有する応答信号Ｃ（図４に示すように）を供給する。このシステム、即ち少なくとも読み取り／書き込みユニットは、そのシステムが応答信号Ｃを２つの製品の存在に関連させ、及び正確に装填された関連するクランプを検出することができるように事前にプログラムされている。クランプ内に単一の製品だけがあるならば、振幅ａＢを有するより強い応答信号Ｂが生成され、クランプの装填は、一部分の内部設定値情報として存在する応答信号Ａに比較して間違いと検出される。３つの製品を有するクランプの不正確な装填もまた検出され、それはシステムが過度に減少された振幅ａＤを有する応答信号Ｄを生成するからである。原則として空のクランプが最も高い信号強度ａＡを有する変更されない出力信号Ａから検出されることができるが、実際には、これによりシステムが、運搬手段の規則的に計測されたシーケンスなど、一部分の追加の情報を有することが必要になり、従って、２つの適切に装填された連続するクランプ間のギャップに信号Ａを関連させる必要があるとき、及びクランプが空になるときは何時なのかを知る必要がある。
【００４０】
運搬方向Ｆにクランプ型運搬装置によって運搬される製品の流れの中に、それぞれ２つの製品を有する正確に装填されたクランプの連続の中に間違って装填されたクランプが繰り返して存在する。欠けている製品を有するクランプが検出位置に達すると、クランプ内に製品がないことが検出され、間違いのメッセージｅ１が生成され、それは信号ラインを介して下流の取扱いユニット又は上位制御システムに報告されることが好ましい。過剰の製品を装填されたクランプが固定型読み取り／書き込みユニットに達するとき、誤った装填ｅ３は過度に弱い応答信号Ｄから検出される。このように極端に簡単なシステムでさえも、生成された応答信号はクランプが間違って装填されているかどうかに関する情報を備えるばかりでなく、応答信号の強度もまたクランプ内の製品の数についての情報を供給するために使用される。
【００４１】
本発明の有利な実施形態に沿って、ＲＦＩＤタグからの互いに近い応答信号の通常の望ましくない重なりが、複雑な個別化方法によって抑制又は防止されるのではなく、むしろ編集されたマルチビット応答信号を生成するために意識してもたらされ、そのマルチビット応答信号は、例えば上述のように２つ以上の１ビットＲＦＩＤタグの特定の協働により一部分の調整する情報を備えることができる。
【００４２】
本発明に沿って、ポケット型運搬装置のポケットの装填状態又は挿入ドラムの中の区画の装填状態を点検することもまた可能であることが理解される。
【００４３】
ＲＦＩＤタグからの情報が読み取り／書き込みユニットによって非接触に視認なしに読み取ることができるので、読み取り／書き込みユニットは追加の処理設備の中で適切な位置、例えば、運搬装置に沿って、かなりの選択の自由度を持って取り付けることが可能である。リーダとＲＦＩＤタグとの間の視認が必要ではないので、タグは製品の任意の側面に取り付けられてよく、即ち内側を含み、それでも読み取り及び／又は書き込みのために開く、分離する、外す又は他に製品を取り扱う必要がなく、そのことは、例えば米国特許第５６１３６６９号明細書から既知のような、光学的検査方法に優る重要な利点である。
【００４４】
当業者に既知の経験則は、ＲＦＩＤタグの範囲はトランシーバのアンテナの長さ及びＲＦＩＤタグのアンテナの長さに直接相互に関連がある。少なくとも読み取り／書き込みユニットのアンテナは、製品の流れの側面に配置可能であり、その結果、製品は、例えば数センチメートルの距離で読み取り／書き込みユニットを過ぎて送られる。ＲＦＩＤタグは、読み取り／書き込みユニットに面する製品の側面の上部又は側面端部に配置されることが好ましいので、ＲＦＩＤタグと読み取り／書き込みユニットのアンテナとの間の読み取りのための効果的距離が数センチメートルに減少されることが可能である。
【００４５】
この種の短い動作距離は、第１に、小さい組立、短いアンテナ長さ及び弱い送信機電力を可能にするので有利であり、第２に、様々な製品グループ用、例えば連続する運搬クランプの中の製品用の応答信号を個別化することが必要でないことを意味する、数センチメートルの送信／受信範囲を可能にするので有利である。製品グループ間の存在する距離は、１つの製品グループだけが同時に送信／受信範囲にあることを保証するのに十分である。
【００４６】
本発明の説明は主にクランプ内の製品を説明するが、当業者には本発明の考察がポケット型又ははしご状コンベアに全部移転され得ることが明らかである。
【００４７】
少ない量のデータだけがＲＦＩＤタグから読み取られ、それに書き込まれることができる必要があるならば、本発明は、まさしく現在既知のＲＦＩＤタグ技術がたとえ１時間につき８００００個の製品までを処理する能力を有する高容量の追加処理装置の場合でも、運搬経路の任意の特定の地点でデータ交換を可能にするデータ伝達速度を達成するように使用されることを可能にする。より多い量のデータを伝達する必要があるならば、製品の運搬速度が遅くなる運搬経路の領域を選択することによりこのことがなされることが推奨される。
【００４８】
このような領域は、印刷製品の追加処理の中で見いだされ、例えば本発明により制御された完成処理の中で見いだされ、その完成処理は収集用、組立用、広義の挿入用のすべての装置により有利に完成されることが可能である。高容量方法、収集、挿入及び組立ドラム、或いは収集、挿入及び／又は組立用の適切なラインを使用してこの種の印刷製品を製造することは、例えばＦｅｒａｇ  ＡＧにより知られている。この場合、収集は鞍形状の支持部を含み、挿入及び組立はＶ字型区画を含み、複数の追加ステーションを過ぎて連続的に送られ、各供給装置は通常、追加の構成要素、例えば追加のシート又は追加の副製品を製造された製品に加えるように使用される。収集は最も内側に折り曲げられたシートから始まり、挿入は最も外側の折り曲げられたシート又は主製品から始まり、組立は第１の構成要素から始まる。当業者は、収集、挿入及び組立の方法が適切に組み合わされ得ることに気付く。既知の高容量装置は現在１時間につき４００００から約８００００を超える容量を達成するために使用することができる。２つのフィーダ間又は他の取扱いステーション間の印刷製品用運搬経路は、例えばＦｅｒａｇ  ＡＧの挿入ドラムの中では、軸方向の送りのない各領域を備えることが好ましい。例えば、米国特許第５３２４０１４号明細書により既知のＦｅｒａｇ  ＡＧの鞍形状ステッチドラムのような収集装置の場合、読み取り／書き込みユニットは鞍形状支持部の中に配置され得ることが好ましい。より狭義の収集中では、例えば各側面領域内で事前の折り曲げ部上に製品識別名を付けることが適切であると発見されており、その場合、挿入ドラムの中での取扱いに関して、タグが製品の内側又は外側に付けられているかどうかは重要ではない。当業者にとって、主製品及び副製品の用語が上述の型の組立、収集及び挿入に関して明確な意味を有し、当業者は、各製品の相対的な互いに関する位置、製造処理中の配向及びそれらの供給の時間順序を知っている。
【００４９】
挿入ドラム及び鞍形状ステッチドラムの場合、読み取り／書き込みユニットは仕切りの後ろ又は鞍形状の台の下に取り付けられる又はこれらに一体化されることができ、その結果、ドラムは製品及び製品上に取り付けられたＲＦＩＤタグに直接近接して配置可能である。製品の運搬速度は読み取り／書き込みユニットに備え付けられた設置部品に関連して特に取扱いドラムの中で大幅に減速され、時々それらは互いに関して相対的に停止さえするので、この場合大きな容量のデータを伝達するためにもまた利用できる十分長い時間帯がある。ドラムの取扱いに関して、欧州特許第５５０８２８号明細書のＦｅｒａｇ  ＡＧから既知のように、取り扱われる製品はドラムの長手方向軸に沿って運搬経路を通り過ぎるが、この運搬経路は不規則コイルに相当し、ある放射状の運搬区間で製品に影響する軸方向の送りのようなものはなく、それによりその製品は仕切りに対して約３秒間互いに停止する、又は１時間につき４００００個の製品までの容量を上限まで取り扱うときでもドラム上に休止することを意味する。別の有利な実施形態に沿って、読み取り／書き込みユニットはドラムの外側にも配置可能である。４０ポケット内の放射状区間を有する既知のドラムの場合、製品は回転方向に約０．５ｍ／ｓで運搬される。
【００５０】
例えば欧州特許第００９５６０３号明細書で既知のように、同様に装置の直線状に並んだ回転スポークを提供することが可能であり、又は例えば欧州特許第７７１７５４号明細書、欧州特許第５１０５２５号明細書及び欧州特許第３４６５７８号明細書に既知のように読み取り／書き込みユニットで区画の部分及び装置のポケットを提供することが可能である。
【００５１】
１つの重要な本発明の利点は、個別化された組立が上位制御システムからの直接制御指令なしにＲＦＩＤタグに含まれる情報のみによって制御され得ることである。このことは、たとえ上位制御機が完全に動作しない場合でも、すでに識別された製品が正確に組み立てられるので、上位制御機上の負荷をかなり取り除くばかりでなく、この方法をかなり強固なものにする。システムをさらに堅固にするために全体版向けＲＦＩＤタグを作成するために必要なすべての情報は、関連するユニット内に、例えば輪転機区画のデジタルプリンタ内に記憶されることが可能であり、その結果、この情報は局部的に及び上位制御機から独立して利用可能である。このようにして、わずかの複雑さにより、第３の製造者の集合によって配送される、関連する情報を有する副製品を供給し、従ってそれらを追加処理中に製造サイクルの中に完全に一体化することもまた可能である。
【００５２】
本発明に沿って、副製品のバーを検査すること、例えば外部製造者によってしばしば配送されるとき、それらが正しい副製品であるかどうかを判定することが可能であるばかりでなく、図１０に示すように個別の副製品がバーの中の間違った配向に配置されていないかどうかを判定するために各バー検査することもまた非常に容易なことである。
【００５３】
非接触読み取り遮蔽タグの選択は完成された、及び発送中の又は発送準備中の製品の最終的な検査のためにかなり有利である。例えば抽選行為に基づき、新聞版内部に組み込まれた抽選チケットもまた、実際に勝利チケットの広告済み番号を含むことを保証する必要があるならば、次いで完成された印刷製品に備え付けられた抽選チケットの番号及び個体識別は、例えば梱包より先に直ちに検出され文書で証明されることができる。
【００５４】
マルチビットＲＦＩＤタグが少なくとも製造される印刷製品の主製品に使用されるならば、非常にわずかな制御の複雑さ及び非常に合理化された上位制御システムにより、製造されるマルチパート印刷製品の個別化のほとんど任意の段階を達成することが可能である。実施例として、製造される製品の個別化の段階は、地域特定副製品及び／又は地域特定折り込み広告が挿入される主製品から、名宛人特定に基づき完全に編集され、事前に知られた購読者の性格特性に基づいて選択された主製品及び副製品を備える新聞までの範囲に及ぶことが可能である。
【００５５】
製造される最終製品は、名宛人特定広告、例えば個人宛の広告手紙又は事前に宛名の記された応答カードを、ＲＦＩＤタグに記憶された宛名情報に基づいて備え付けられることが可能である。組立領域の中でこのことは、実施例として、標的グループ特定の高品質の従来通りに製造された折り込み広告を挿入し、まさしく同じはがき、引き換え券、試供品の中に貼り付けることによりなされることが可能であり、適切な記憶容量を有するＲＦＩＤタグの場合、名宛人が適切なリーダ、好ましくは携帯電話を使用して音声又は視覚形態の中で読み取り及び再生できる、ＲＦＩＤタグ内のデジタル形式名宛人特定情報の記憶まで、このことが広がることが可能である。従って、ＲＦＩＤタグは、例えば広告主から端末の顧客に携帯電話用着メロを伝達するために使用されることが可能である。当業者は標的グループ向け広告に対する、完全に個別化された広告に至るまでの大きな可能性を理解するであろうが、本発明によるシステムは、部分的に個別化された印刷製品を製造するときにもまた、その完全に個別化された広告を特に拘束組版高容量印刷処理及び非拘束組版情報伝達処理の一体化によって供給し、任意の集中的なステップを含まずに特定の個々の場合用の必要に基づく特注生産により、この可能性を利用することができる。
【００５６】
テキスト、音声、画像及びビデオファイルさえも記憶可能な高品質ＲＦＩＤタグは強力なＩＣを備え、印刷製品上に印刷されないことが好ましく、むしろ別に製造され、印刷製品上に貼り付けられることが好ましい。このことは、欧州特許第１１０６５５０号明細書、欧州特許第１０８６９１４号明細書及びＦｅｒａｇ  ＡＧの欧州特許第１２７５６０７号明細書から既知であるような装置を使用して見事になされることができ、商標ＭＥＭＯＳＴＩＣＫ（登録商標）の下で非常に成功して市場に確立されている。
【００５７】
この種の高品質及び従って高価なＲＦＩＤタグは、追加印刷処理中に作業ステップを制御するために独占的に最初に使用されるように意図されるならば、ＭＥＭＯＳＴＩＣＫ（登録商標）に似たＲＦＩＤタグは、梱包前に例えばカード又はＣＤを含む製品から再び除去され、再使用されることが可能である。
【００５８】
貨物ごとに１つのＲＦＩＤタグが１つの製品上に残されるとき、１つの好ましい実施形態により、そのタグが貨物の運搬者又はその受取人により、適切なリーダを使用して読み取られ、使用されることができる宛名及び配送情報を運ぶことが好ましい。
【００５９】
本発明のシステムを前述のＲＦＩＤタグを用いて履行するために、第３グループの供給者からのワークステーション又はシステム構成要素の一体化を促進するシステムの構成要素として一般的な接続器である読み取り／書き込みユニットが使用されることが好ましい。
【００６０】
本出願がＲＦＩＤタグに言及するとき、この種のタグが３次元のユニットとして別の方法で印刷又は製造される必要があることを意味すると意図しない。ＲＦＩＤタグの一部分、特にアンテナの一部分が、異なる印刷製品のであっても異なるページ又はシート上に配置され、その結果、その部分は折り曲げ、収集又は組立の後に初めて電気的な伝導のために互いに動作可能に結合され得る。
【００６１】
本発明の別の実施形態に沿って、ＲＦＩＤタグのアンテナは少なくとも部分的に、例えば好ましくは銅又は銅含有バイメタルを備える適切な材料を有するステープルによって形成される。
【００６２】
マルチビットＲＦＩＤタグに記憶された情報は、上位制御システムから到達し、オンラインで又は局部的に読み取り可能な記憶媒体を使用して、少なくとも１つの読み取り／書き込みステーションに供給されることが好ましく、読み取り／書き込みステーション内にバッファ記憶されることが好ましい。
【００６３】
図面は単に例示的な実施形態を示し、以下に本発明を説明するために使用される。
【図面の簡単な説明】
【００６４】
【図１】ＲＦＩＤタグを印刷製品に取り付ける及びＲＦＩＤタグに書き込むための方法ステップを示す図である。
【図２】本発明の別の実施形態によるＲＦＩＤタグを印刷製品に取り付ける及びＲＦＩＤタグに書き込むための方法ステップを示す図である。
【図３】（ａ）はＲＦＩＤタグを備え付けられた個々の製品を示す図であり、（ｂ）は２つの連続する製品を備える製品グループを示し、第１の製品がＲＦＩＤタグを備え付けられている図であり、（ｃ）は３つの連続する製品を備える製品グループを示し、第１の製品がＲＦＩＤタグを備え付けられている図であり、（ｄ）は１０個の連続する製品を備える製品グループを示し、第１の製品がＲＦＩＤタグを備えられている図である。
【図４】１つ又は複数の１ビット又はマルチビットＲＦＩＤタグによる読み取り／書き込みユニットからの出力信号の信号強度の調整のグラフである。
【図５】１つ又は複数の１ビット又はマルチビットＲＦＩＤタグによる読み取り／書き込みユニットからの出力信号の周波数調整のグラフである。
【図６】（ａ）は読み取り／書き込みユニットの領域内で２つの印刷製品を正しく装填された運搬クランプを示し、印刷製品は折り曲げ部で同じ高さに保持されている図であり、（ｂ）は読み取り／書き込みユニットの領域内で間違って１つの印刷製品だけ装填された運搬クランプを示し、印刷製品は折り曲げ部で保持されている図であり、（ｃ）は読み取り／書き込みユニットの領域内で間違って３つの印刷製品を装填された運搬クランプを示し、印刷製品は折り曲げ部で同じ高さに保持されている図であり、（ｄ）は読み取り／書き込みユニットの領域内で２つの印刷製品を正しく装填された運搬クランプを示し、印刷製品は折り曲げ部でずらして保持されている図であり、（ｅ）は読み取り／書き込みユニットの領域内で間違って３つの印刷製品を装填された運搬クランプを示し、印刷製品は折り曲げ部でずらして保持されている図であり、（ｆ）は読み取り／書き込みユニットの領域内で間違って１つの印刷製品だけ装填された運搬クランプを示し、印刷製品は折り曲げ部で保持されている図であり、（ｇ）は読み取り／書き込みユニットの領域内で間違って１つの印刷製品だけ装填された運搬クランプを示し、印刷製品は開放端部で保持されている図であり、（ｈ）は読み取り／書き込みユニットの領域内で２つの印刷製品を正しく装填された運搬クランプを示し、印刷製品は開放端部で同じ高さに保持されている図であり、（ｉ）は読み取り／書き込みユニットの領域内で間違って３つの印刷製品を装填された運搬クランプを示し、印刷製品は開放端部で同じ高さに保持されている図である。
【図７】（ａ）は図６（ａ）〜６（ｃ）に示すクランプを備えるクランプ型運搬装置を示し、読み取り／書き込みユニットの領域が２つの印刷製品を正しく装填された運搬クランプを含む図であり、（ｂ）は図７（ａ）に示すクランプ型運搬装置を示し、読み取り／書き込みユニットの領域が間違って１つの印刷製品だけを装填された運搬クランプを含む図であり、（ｃ）は図７（ａ）に示すクランプ型運搬装置を示し、読み取り／書き込みユニットの領域が間違って３つの印刷製品を装填された運搬クランプを含む図である。
【図８】本発明の別の実施形態に基づく運搬装置を示し、製品を含むクランプが一連の読み取り／書き込みユニットを通過して送られる図である。
【図９】（ａ）は正しく配向された複数の製品によって形成された部分的に重なり合った流れを示し、上方から見て１対の読み取り／書き込みユニットを有する図であり、（ｂ）は図９（ａ）に示すような図であるが、部分的に重なり合った流れの１つの製品が間違って配向された図である。
【図１０】（ａ）は間違って配向された３つの製品を含むグループを有する製品スタック（バー）の分解図であり、（ｂ）は前部及び後部に小さい板並びにストラップを有する図１０（ａ）に示す完全なバーの図であり、（ｃ）は図１０（ｂ）に示すバーの概略図である。
【図１１】第１の実施形態に基づく可撓性の二次元製品を製造するためのシステムの概略図である。
【図１２ａ】別の実施形態に基づくマルチパート印刷製品を製造するためのシステムの概略図である。
【図１２ｂ】マルチパート印刷製品を製造するための別のシステムの概略図である。
【図１３】製品を仕分けるためのダイバータを有する別の実施形態に基づくマルチパート印刷製品を製造するためのシステムの概略図である。
【図１４】２つの回転する区間出力を有する別の実施形態に基づくマルチパート印刷製品を製造するためのシステムの概略図である。
【好ましい実施形態の詳細な説明】
【００６５】
図１及び図２は、可撓性の二次元製品２ａ及び２ｂに、好ましくは印刷製品にＲＦＩＤタグを取り付けるための２つの異なる方法を示す。図１は、実施例として、本発明による１ビット又はマルチビットＲＦＩＤタグ１０ａが、高容量印刷処理１１ａ中に、又はその後のそのような処理中に、タグを備え付けられる製品２ａ上に直接作成され、運搬方向Ｆに運搬される。タグ１０ａは作成されたとき、好ましくは読み取り／書き込みステーションを使用して、書き込みステーション１２によってそれに書き込まれる少なくとも１ビットを備える一部分の製造及び／又は制御情報を有し、その結果、ＲＦＩＤタグ１００は所望の１ビット情報を備える。このタグ１００の書き込まれた又は情報伝達する状態は、図１のようにサンプリングによって示される。
【００６６】
図２は印刷処理１１ｂの後に単独に作成されたＲＦＩＤタグ１０ｂがワークステーション１３により製品２ｂ上に取り付けられ、次いで書き込みステーション１２を使用して書き込まれた１ビットを備える少なくとも一部分の製品及び／又は制御情報を有する方法を概略的に示す。図２に基づき当業者は、すでに書き込まれ又は情報を備え付けられたタグを製品２ｂに取り付けるためにもまた、ワークステーション１３が使用可能であることを理解することができる。
【００６７】
図１のタグ１０ａ及び図２の１０ｂの共通の特徴は、それらが追加印刷処理の追加ステップの中で非接触に及びタグと読み取り／書き込みユニットとの間の視認なしに読み取られ及び／又は変更されることができるということである。
【００６８】
好ましい実施形態に沿って、印刷製品は高容量印刷処理の中で直接１ビットＲＦＩＤタグを備え付けられる。このことは、図１及び図２の実施例に示すように、印刷処理の下流に直接結合された取扱いステーションが追加処理用接続器上に必ずしも必要ではないことを意味する。
【００６９】
図３は本発明に沿って、製品の流れの中のすべての製品が必ずＲＦＩＤタグを備え付けられる必要はないことを示す。図３（ａ）は、例えば図１に示すような方法ステップの中で製造され得るように、書き込まれたＲＦＩＤタグ１０ａを備え付けられる個別の製品２を示す。図３（ｂ）〜３（ｄ）で、ＲＦＩＤタグは製品グループの中の個々の製品２に限定されている。この場合、運搬ライン又は貯蔵ラインに沿う製品の流れの中のすべての単一の製品がＲＦＩＤタグを備え付けられるわけではなく、ＲＦＩＤタグ１００を有する識別される製品２がＲＦＩＤタグを備え付けられない１つ又は複数の関連する製品２０を有する。製品グループが識別されるとき、運搬方向の前部に配置されたＲＦＩＤタグを備え付けられた製品は、タグによって制御され、すべての後に続く製品のために、ＲＦＩＤタグを備え付けられた後続の製品が取扱いステーションを再び非稼働にするまで、取扱いステーションを稼働させることができる。製品の流れの中の製品グループは規則的組合せでありこともあるが、又は異なるサイズを有することもある。
【００７０】
国際公開第２００５／０８６０６９Ａ２号パンフレットは異なる装置（読み取り／書き込みユニット）、及び読み取り／書き込みユニット上のアンテナとＲＦＩＤタグ上のアンテナの界との間の誘導性結合によって読み取り／書き込みユニットの通信範囲内のＲＦＩＤタグを検出する方法を個別に説明する。
【００７１】
図４は、呼びかけ信号に相当する１つ又は複数のＲＦＩＤタグ（ＲＦＩＤシステム内の）がアンテナの検出範囲にあるかどうかに基づいて、読み取り／書き込みユニット（ＲＦＩＤシステムのＲＦＩＤリーダ）が周波数ｆ０で振幅ａ０の呼びかけ信号を送るとき、読み取り／書き込みユニットの検出アンテナに印加されるように、様々な信号（共振曲線）を有する周波数／振幅グラフを示す。この場合の呼びかけ信号への対応は、ＲＦＩＤタグがアンテナ又は呼びかけ信号の周波数ｆ０に誘導的に結合する共振周波数を有する共振回路を備えることを意味し、その結果、検出範囲は呼びかけ信号（振幅ａ０を有する）から検出可能な差Δ及び／又は電気回路によって評価され得る差Δによって異なる応答信号（振幅ａ１を有する）を含む。水平軸は信号の周波数ｆに対応し、垂直軸は信号の振幅に対応する。
【００７２】
検出範囲がＲＦＩＤタグを含まないならば、タグとＲＦＩＤリーダとの間に誘導性結合は起こらず、従って呼びかけ信号は影響を受けず、応答信号は影響を受けず（及び呼びかけ信号に対応する）：共振曲線４０１は振幅４１０を有する。検出範囲にＲＦＩＤタグがあるならば、誘導性結合が起こり、即ちＲＦＩＤタグが呼びかけ信号、従って応答信号又は応答信号の振幅に影響を及ぼし（弱める）：共振曲線４０２は振幅４２０を有する。この場合、共振曲線４０２の振幅は共振曲線４０１に比較して差４１１だけ減少され又は弱められる。
【００７３】
検出範囲に複数のＲＦＩＤタグがあるならば、個々のタグの共振曲線は重なり、１つのタグの減少に比較してそれらの応答信号はかなりの程度まで減少し、振幅４３０を有する共振曲線４０３及び差４２１だけの減少によって示される。これにより読み取り範囲内に存在するＲＦＩＤタグの数が検出され、検査されることができる。実施例として、ＲＦＩＤリーダの検出範囲内にあるとき、５０個のタグを検出し、従って数えることが可能である。これは振幅４４０を有する共振曲線４０４によって示される。
【００７４】
一方、様々なタグが呼びかけ信号に異なる程度に影響を与えるように、例えばより多くの又はより少ない巻線、異なるサイズ又は幾何学形状又はアンテナ巻線の相互接続用異なる厚さを有するアンテナによって、設計されることが可能である。このようにして異なるＲＦＩＤタグ、特に異なる１ビットタグ、例えば共振曲線４０２及び振幅４２０を有する第１のタグ、振幅４３０を有する共振曲線４０３を有する第２のタグ、並びに振幅４４０を有する共振曲線４０４を有する第３のタグを検出又は区別することが可能であり、それぞれの場合共振曲線４０１及び振幅４１０を有する呼びかけ信号と比較される。
【００７５】
振幅を測定又は監視する上記に説明された方法（振幅監視方法）は、１ビットＲＦＩＤタグ及びマルチビットＲＦＩＤタグの両方を検出するために使用可能である。この状況では、ＲＦＩＤリーダとＲＦＩＤタグの間に、ＲＦＩＤリーダ又はＲＦＩＤタグに又はそれから書き込まれたデータの意味での通信（データ通信）は起こらない。
【００７６】
１つ又は複数のＲＦＩＤタグによる呼びかけ信号の差Δ（４１１及び４２１）の減少又は弱化は、検出装置（検出回路）の感度に依存して、１０分の数％から数％（呼びかけ信号の）の間であることがある。従ってシステム感度又はシステム分解能は同じ範囲にあり、その結果、数１００個までのＲＦＩＤタグが同時に検出範囲にあるシステム状態であれ、又は数１００個までのＲＦＩＤタグが区別されるシステム状態であったとしても、この種のＲＦＩＤシステムは数１００個までの異なる状態を区別し、検出するために使用可能である。システム分解能及びこの閾値の定義により、正確な数のＲＦＩＤタグを決定することもまた可能であり、実施例として、特定の販売店（キオスク）に配送するように意図された１つの単位が、定められた数のＲＦＩＤタグ又は相当する印刷製品、例えば４９個でも５１個でもなく正確に５０個の新聞を備えることを確認することができる。実施例として、弱化は、弱められた可能性のあるアナログ呼びかけ信号をデジタル信号（電圧値の）にＡ／Ｄ変換器（アナログ／デジタル変換器）の中で変換することによって、及び変換器の中でそれを弱められない呼びかけ信号に相当する参照信号と比較することによって測定される。この場合、検出装置の感度は、システムのノイズ及び環境の影響を考慮して、Ａ／Ｄ変換器の分解能及び分解力に依存する。弱められた可能性のあるアナログ呼びかけ信号を、弱化及び分離の後の信号の可能性もあるが、数ボルトのアナログ電圧値として比較測定器の参照信号と直接比較することによってもまた弱化を測定することができる。一般的に、比率が、検出アンテナ内又は検出アンテナ上の呼びかけ信号内及び関連するデジタル信号（電圧値向け）又はアナログ電圧値内の変化（減少、弱化）に対応する。
【００７７】
この種のＲＦＩＤシステムで、１０分の数％と数％の間の重要なシステム感度について、検出されるＲＦＩＤタグの数又は区別可能な異なる共振周波数を有するＲＦＩＤタグの数に不可欠のものは、ほとんど一定の幾何学的環境であり、特にＲＦＩＤタグとＲＦＩＤリーダとの間の距離である。
【００７８】
ＲＦＩＤシステム（ＲＦＩＤタグに関連する読み取り／書き込みユニット）用又は読み取り／書き込みユニットからの呼びかけ信号の周波数ｆ０用の通常の周波数範囲は、１００−１３５ｋＨｚのＩＳＭ周波数帯又はＩＳＭ周波数範囲（工業、科学、医学）であり、約６．７８ＭＨｚ、約１３．５６ＭＨｚ、約２７．１２５ＭＨｚ、約４０．６８ＭＨｚ、約４３３．９２ＭＨｚ、約８６９ＭＨｚ、約９１５ＭＨｚ、約９５０ＭＨｚ、約２．４５ＧＨｚ、及び約５．８ＧＨｚである。一般に、それ自体の電源供給を備えない、例えば電池によって及び読み取り／書き込みユニットからの呼びかけ信号の界向け誘導性結合により電力を供給され、動作する受動ＲＦＩＤタグに対して、所望の検出範囲が、アンテナのサイズ又はＲＦＩＤタグの共振回路に依存する呼びかけ信号の信号強度（出力電力）によって決定されることが事実である。この場合、ＲＦＩＤタグの同じ信号強度及びアンテナサイズに対して、検出範囲が最初に大きいほど、呼びかけ信号の周波数はより高くなる。一般に、２０ｃｍ以下、好ましくは１〜１０ｃｍの検出範囲が望ましいので、５０ＭＨｚまでの周波数を有し、１００ｃｍまでの上方検出範囲を有するＲＦＩＤシステムが使用される。直径約１０ｃｍの検出アンテナの下で２００ｍＷ（約２０ｄＢμＡ／ｍ＠１０ｍ）の出力電力（呼びかけ信号に対して）を有する１３．５６ＭＨｚのＲＦＩＤシステムは、１０ｃｍの検出範囲を有する（検出アンテナの直径が概ね検出範囲に相当するという経験則により）。この場合、振幅監視方法は１０分の数ｄＢ（０．０１〜０．０５ｄＢ）の呼びかけ信号、即ち０．２〜１ｍＷの最小値により呼びかけ信号から異なる応答信号内の変化を検出するために使用され得る。
【００７９】
単一の印刷製品に関連付けられた単一の又は複数のＲＦＩＤタグが検出範囲内で検出される必要があるならば、検出範囲は物理的に小さい必要があり、一般に、検出範囲はアンテナのサイズ（直径）又はＲＦＩＤタグの共振回路のサイズに対応する必要があり、２つの印刷製品もまた、同様に少なくともアンテナのサイズ（直径）又はＲＦＩＤタグの共振回路のサイズに対応する距離にある必要があるが、好ましくは２つの製品はそのような距離の２倍にある必要がある。
【００８０】
代わりに、印刷製品にそれぞれ関連付けられた複数の単一ＲＦＩＤタグが検出範囲内で検出されることが可能である。この場合、検出範囲及び検出アンテナのサイズは、複数のアンテナのサイズ（直径）又は単一ＲＦＩＤタグの共振回路である。これにより印刷製品に関連付けられたＲＦＩＤタグの統計的評価が可能になる。実施例として、応答信号は、それぞれ検出範囲内にある１０の印刷製品まで随時計測して評価される。第１のグループが印刷製品に関連付けられた１０のＲＦＩＤタグすべてを検出するならば、このグループは、例えば検出及び制御目的のために完全に又は正しいと印を付けられるべきだと考えられる。第２のグループが関連付けられたＲＦＩＤタグが１０より少ないことを検出するならば、このグループは不完全又は間違いと印を付けられると考えられ、除去される可能性があり、間違ったＲＦＩＤタグ、又は例えば間違った配向の理由で検出されなかったＲＦＩＤタグを備える印刷製品を見つけるために、次の処理の中で又は後続のＲＦＩＤリーダの中で再検査される可能性がある。この状況では、第１のグループのいくつかの印刷製品又はＲＦＩＤタグは、第２のグループ（随時計測）のいくつかの印刷製品又はＲＦＩＤタグを形成することができる。
【００８１】
図５は、呼びかけ信号に相当する第２の型の１つ、又はどれだけ多くのＲＦＩＤタグがＲＦＩＤリーダの検出範囲にあるかどうかに基づいて、ＲＦＩＤリーダが周波数ｆ０の呼びかけ信号を送るとき、ＲＦＩＤリーダの検出アンテナに印加されるように、様々な信号（共振曲線）を有する周波数／振幅グラフを示す。
【００８２】
図４で説明したようにその時検出範囲がＲＦＩＤタグを含まないならば、共振曲線５０１によって示すように誘導性結合は起こらない。第２の型のＲＦＩＤタグが検出範囲にあるならば、図４で説明したように誘導性結合が起こる。：共振曲線５０２。しかし第２の型のＲＦＩＤタグは、周波数ｆｉの補助搬送波（副搬送波）を呼びかけ信号（搬送波信号、搬送波周波数）の周波数ｆｏに調整する。ＲＦＩＤリーダとＲＦＩＤタグの間にデータ通信が起こらないならば、補助搬送波は調整されず、及び／又は符号化されない。それでも、補助搬送波は応答信号に影響を及ぼし、補助搬送波５２０及び５２１は周波数ｆ０＋ｆｉ及びｆ０−ｆｉの側波帯であると証明し、検出範囲がＲＦＩＤタグを含むかどうかを決定するために使用される。
【００８３】
検出範囲に第２の型の複数のＲＦＩＤタグがあるならば、共振曲線及び個々のタグの補助搬送波は部分的に重なり合う。応答信号は、周波数ｆ０＋ｆｉ、ｆ０−ｆｉ、ｆ０＋ｆｊ及びｆ０−ｆｊで側波帯を有する２つの補助搬送波（５２０、５２１、５３０、５３１）で得られる。このようにして、異なるＲＦＩＤタグを検出することが可能である。このようにして同時に検出され得るタグの数は原則として、先行技術（存在する可能性があるアナログ又はデジタル補助搬送波を評価し、検出するための適切なバンドパスフィルタを有する）に関連する適切な検出回路中でやはり区別可能な補助搬送波周波数ｆｉとｆｊとの間の最小周波数差異により定義される。１３．５６−ＭＨｚのＲＦＩＤシステム用には、補助搬送波周波数間の周波数差、従って補助搬送波周波数は、搬送波周波数を中心として、９〜１８ＭＨｚ、即ち±４．５ＭＨｚ、好ましくは±１．５ＭＨｚの範囲内にある例えば約１３ｋＨｚ、約２６ｋＨｚ、約５３ｋＨｚ、約１０６ｋＨｚ、又は約２１２ｋＨｚの集合である。１０６ｋＨｚの補助搬送波周波数は、好ましい範囲±１．５ＭＨｚの１５個までのＲＦＩＤタグを区別し、おそらくは同時に検出するために使用可能である。
【００８４】
図６（ａ）から６（ｉ）までは、その後、各クランプ及びクランプ内に保持された製品上のＲＦＩＤタグと製品に関連付けられたクランプとの間の起こり得る相互作用によって何の内容及び何の製品が運搬されるかを非接触に確立することが可能である本発明に基づく起こり得る適用を示すために使用されるであろう。
【００８５】
図６（ａ）から６（ｉ）まではそれぞれ運搬手段上のクランプＫ、Ｋ’、Ｋ’’を示し、この場合は例えば欧州特許第３３０８６８号明細書によるクランプ型運搬装置であるが、運搬手段自体は図を見やすいようにするために示されていない。その技術及び適用可能性のよりよい理解をもたらすように、２つの印刷製品が上流の詳しく指定しない取扱い手段から各クランプＫ、Ｋ’、Ｋ’’に転送された場合の実施例によって参照がなされる。
【００８６】
図６（ａ）はクランプ型コンベアの形態の運搬手段上のクランプＫを示し、その中で製品転送が意図されたように機能し、２つの製品２ｃ及び２ｄを受け取り、現在折り曲げ部の略中央にそれらを保持している。製品２ｃ及び２ｄは製品２による製品であってもよい。両製品２ｃ及び２ｄは折り曲げられた製品で、従ってそれぞれが折り曲げ部２２を有し、両方が、折り曲げ部に近接するクランプＫの握り部近傍の製品２ｃ及び２ｄの外側側面上にＲＦＩＤタグ１００をそれぞれ備え付けられている。製品２ｃはそのＲＦＩＤタグ１００の領域内の部分的区画で示され、その結果、第２の製品２ｄのＲＦＩＤタグ１００が見えるようになっている。ＲＦＩＤタグは能動的又は受動的応答ＲＦＩＤタグであり、後者の場合、このタグは少なくとも１つのアンテナを有する。各クランプが正確に２つの製品２ｃ、２ｄを保持することを保証するために、クランプ内の２つの製品の存在が検出操作を受ける。この最後に、図６に示す製品配置を有するクランプＫは、クランプＫに対して本質的に静止している書き込みステーション又は読み取り／書き込みステーション１２に沿って通過するように引っ張られ、その後、振幅ａｃを有する応答信号Ｃ（図４ａに示す）を生成する。このシステム又は少なくとも読み取り／書き込みステーションは、２つの製品の存在のための応答信号Ｃが生成され、従ってこのクランプＫが正しく装填されていると識別するように事前にプログラムされている。次いで応答信号は、適切な設計の読み取りステーション又は読み取り／書き込みステーションによって１つのＲＦＩＤタグ又は複数のＲＦＩＤタグから読み取られることが可能であり、上位制御システムに及び／又は運搬手段の両方に、この場合はちょうど検査されたばかりの（図６（ａ）に示す）クランプＫに、この応答信号Ｃを例えば一部分の１ビット情報に移転し、それを各クランプＫに関連付けられた追加ＲＦＩＤタグ２００に転送又は通信する追加書き込みステーション又は読み取り／書き込みステーションの形態の同じステーションによって伝達されることが可能である。この場合、従ってクランプＫは、２つの製品２ｃ及び２ｄの１グループを保持しており、図１３に関連して説明されるように、例えば後で使用するためにこの情報を転送又は使用することができることを通知される。応答信号からの情報が一旦追加ＲＦＩＤタグ２００に、クランプＫ内で、好ましくは消去可能及び再書き込み可能の形態で転送されてしまうと、製品が置かれる位置、製品が部分的に重なる連続若しくは任意の他の形態であるかどうか、又は例えば追加処理の後で製品がそれでも移動する、はためく、若しくは膨れ出るなどするかどうかにかかわらず、その情報は再び追加読み取り又は読み取り／書き込みステーションで読み取られることが可能なので好都合である。またこのことは、クランプＫ、Ｋ’、Ｋ’’内の追加ＲＦＩＤタグ２００からの情報向け読み取り操作が運搬手段の運搬速度へ依存することを減らし、それは遅い運搬速度でのバッファライン内の情報が、相対的に速い運搬速度での通常の運搬ラインの情報と同じように読み取り可能であることを意味する。
【００８７】
製品２ｃ、２ｄに関連付けられたＲＦＩＤタグが、製品２ｃ、２ｄの特定の性質についての追加情報、例えば地域割当てとも言及される地域特定副製品がいつ含まれるかという追加情報を含むことは当業者にとって明らかである。クランプＫ、Ｋ’、Ｋ’’の主な適用は、保持される２つの同じ製品２ｃ、２ｄだけをおそらく含むであろうが、製品２ｃ、２ｄが同一でない地域特定副製品である可能性、及びこの情報がそれぞれのＲＦＩＤタグ１００上の異なる情報内に記憶される可能性が十分ある。このような情報がそれぞれのクランプに運搬されることが意図されるならば、この場合、クランプＫは例えば一部分のマルチビット情報の形態である可能性もあるであろう。
【００８８】
図６（ｂ）は、製品転送が意図されたように動作しなかったクランプＫ’を示し、従ってクランプＫ’は２つの製品２ｃ、２ｄの１つだけを受け取っている。図６（ｂ）に示すように、単一の製品だけがクランプＫ’内にあるので、振幅ａＢを有するより強い応答信号Ｂが読み取り／書き込みステーション１２に生成され、内蔵設定値情報の一部として存在する応答信号Ａと比較されるとき、クランプＫ’の装填が間違いと検出される。次いで応答信号は上位制御システム及び／又はクランプＫに転送されることが可能であり、クランプＫは、この応答信号Ｂを例えば一部分の１ビット情報に移転し、それをクランプＫ’に関連付けられたＲＦＩＤタグ２００に転送する追加書き込みステーションによって再び検査される（図６（ｂ）に示すように）。
【００８９】
図６（ｃ）は、製品転送が意図されたように動作しなかったクランプＫ’’を示し、従ってクランプＫ’’は３つの製品２ｃ、２ｄ、２ｅを受け取っている。３つの製品２ｃ、２ｄ、２ｅを有する間違ったクランプＫ’’の装填は、クランプＫ’’が振幅ａＤを有する過度に弱められた応答信号Ｄを生成するので、読み取り／書き込みステーション１２により検出される。この種の応答信号は、上記に説明するように使用され続けることが可能である。
【００９０】
図６（ａ）〜６（ｃ）に示す製品２ｃ、２ｄ、２ｅと対照的に、図６（ｄ）〜６（ｆ）に示す各製品２ｆ、２ｇ、２ｈはそれぞれＲＦＩＤタグ１００を、折り曲げ部近傍の側面開放端部２４の領域に製品２ｆ、２ｇ、２ｈの外側側面に備え付けられている。図が見やすいように製品は部分的な区画で示される。各クランプが正確に２つの製品２ｇ、２ｆを保持することを保証するために、各クランプ内の２つの製品の存在が再び検出操作を受ける。この場合、図６（ｄ）に示す状態の連続が、図６（ａ）に関連してすでに説明した状態の連続に相当する。２つの製品２ｇ、２ｆが異なる相対的位置（折り曲げ部２２の位置）を有するという追加の相違は読み取りのために重要ではなく、それは読み取り信号が本質的にそれによって影響されないからである。従来の光学的読み取りシステムに比較すると、ＲＦＩＤシステムの場合の製品の配向への要求が従来のシステムの場合に比べてより低いので、このことは追加の利点である。従って本発明による検出は、間違いの比率をかなり減少させることができ、それは検出されるのは製品の互いに関する位置ではもはやなく、むしろ実際の製品の存在であるからである。
【００９１】
図６（ｆ）に示す状態の場合の連続は、図６（ｂ）に関してすでに説明した状態の場合に相当する。これはまた、図６（ｅ）にもあてはまり、その状態は図６（ｃ）で説明される状態に相当する。
【００９２】
製品２ｆ、２ｇ、２ｈが異なる製品であるならば、読み取り／書き込みステーション１２がそれぞれの製品２ｆ、２ｇ、２ｈ上の個々のＲＦＩＤタグ１００からの重なる信号を読み取り、それを評価し、この情報を一部分の１ビット情報として、各クランプＫ、Ｋ’、Ｋ’’内の追加ＲＦＩＤタグ２００及び／又は上位システムに供給することが技術的に可能である。
【００９３】
本発明の追加の実施形態では、さらに詳しく示されないが、製品からの一部分の製品情報及び／又は制御情報は、読み取られたばかりの情報を有する製品に関連付けられた設備又は運搬手段の要素に通信されるのではなく、むしろこの要素より前にある運搬手段の要素に、運搬方向Ｆで示すように通信される。設備という用語はその後に、運搬手段などの装置向け包括的用語として使用され、運搬手段という用語は、例えばクランプ型コンベア向け包括的用語として使用される。運搬手段の運搬能力が高いならば、製品がほとんど静止した物体である期間は非常に短い。製品とＲＦＩＤタグとの間の相対的な補正により、問題の製品に反応するために得られる時間がより多くなることを可能にする。特定の出願の実施例として、クランプＫ内に保持された製品からの一部分の制御情報は、読み取りステーション１２で読み取られ、下流に位置する書き込みステーション１２によってクランプＫｘ内のＲＦＩＤタグの記憶に入り、クランプＫｘは同じ運搬手段上の運搬方向ＦにクランプＫの下流に５つのクランプが配置される。これにより、例えばダイバータ６２が、クランプＫがダイバータ６２に到達するときに、その舌部を別の位置に変える必要がある時間より前に５つのクランプ間隔を通知されることが可能になる。早めの情報により、実施例として、時間のかかる切り替え操作が、関連する製品がこのダイバータ６２に到達する十分前の時間に開始されることが可能になる。
【００９４】
別の実施形態では、読み取られた信号が書き込みステーションを介する情報として製品上のＲＦＩＤタグに再び供給される。
【００９５】
図６（ｆ）〜６（ｅ）と対照的に、図６（ｇ）〜６（ｉ）に示す製品２ｆ、２ｇ、２ｈは今度は折り曲げ部２２で保持されるのではなく、開放端部２６でそれらに関連付けられたクランプＫ、Ｋ’、Ｋ’’によって保持される。図６（ｇ）〜６（ｉ）に示す状態の連続は、別の方法で図６（ｆ）〜図６（ｅ）の状態の連続に相当する。
【００９６】
図７（ａ）はクランプ型運搬装置の形態の設備によって運搬方向Ｆに運搬される製品の流れを示す。クランプ内の製品、クランプＫ、Ｋ’、Ｋ’’自体、及び読み取り及び読み出し操作の基本的情報を配置するために、並びに製品情報が各クランプに、要求されるように伝達される機会について、この時点で図６（ａ）〜６（ｃ）に関連する説明への参照がなされ、同じ製品ラベルが再びそのために使用される。正しく２つの製品２ｃ、２ｄを装填されたクランプの連続はそれぞれ、間違って装填された２つのクランプＫ’、Ｋ’’を有する。クランプＫ’は１つの製品２ｃのみを装填されており、一方クランプＫ’’は余分な１つの製品２ｅを有する。１つの製品が欠けているクランプＫ’が、クランプに対して本質的に静止している読み取り／書き込みステーション１２上の検出位置に到達すると、図７（ｂ）に示すように、クランプＫ’内の製品の欠如が検出され、誤りのメッセージｅ１が生成され、それは信号ラインＬを介して下流の取扱いユニット又は上位制御システムに伝達されることが好ましい。余分の製品を装填されたクランプＫ’’が読み取り／書き込みユニット１２に到達すると、図７（ｃ）に示すように、間違った装填ｅ３が弱い応答信号Ｄから検出される。まさにこの非常に簡単なシステムの場合、生成された応答信号がクランプが間違って装填されているかどうかに関する情報を備えるばかりでなく、応答信号の強度によって、クランプ内の製品の数についての情報が供給される。
【００９７】
本発明の概念は、ポケット型コンベアのポケット又は挿入ドラムの区画の装填状態を検査するためにもまた容易に適合可能であることは言うまでもないので、これらは具体的に考察されない。
【００９８】
図８は本発明用の別の新規な出願の機会を示すことを意図する。図によると、最初に副製品３２をその中に有する主製品３０がクランプＫ、Ｋ’、Ｋ’’、Ｋ’’’、Ｋ’’’’に運搬されたはずであり、クランプＫ、Ｋ’、Ｋ’’、Ｋ’’’、Ｋ’’’’の中身が運搬を保証するために検査される。クランプＫ、Ｋ’、Ｋ’’、Ｋ’’’、Ｋ’’’’は主製品３０をその主製品折り曲げ部３４の略中央に握り、同時に副製品３２をその中にクランプで留める。クランプＫは正しく編集された製品３０、３２を受け取る。再び上流に結合された読み取り／書き込みユニット１２はこのクランプＫ内の製品３０、３２からの情報を読み取り、この場合、書き込みステーションを介してクランプＫ内のＲＦＩＤタグ（図示せず）に応答信号を伝達した。後続の取扱い操作のためにクランプＫは正しく装填されたことを知る。後続の読み取り／書き込みユニット１２は再びこの情報を読み取ることができる。
【００９９】
クランプＫと対照的に、クランプＫ’は主製品３０だけを受けている。この情報は読み取り／書き込みユニット１２によって検出され、同様にクランプＫ’に帰する。従ってクランプＫ’は正しく装填されていないことを知っており、このような不完全な製品がその先の処理に到達することを防ぐために好機に適切な手段が取られることが可能である。
【０１００】
クランプＫ’’は主製品３０及び副製品３２の両方を受け取っているが、副製品３２の副製品折り曲げ部３６が主製品３０の主製品折り曲げ部３４から反対側に向いているので、これらは互いに関して望ましくない相対的位置にある。クランプＫ’’は局所的に配置された読み取り／書き込みユニットを通過して製品３０及び３２を運搬したので、そのユニットのアンテナが、クランプＫ’’側の主製品折り曲げ部３４のわずか数センチメートル上方にあったので、ＲＦＩＤタグ１００からの応答信号だけが読み取られ、従って上述のようにクランプＫ’’に伝達された間違いの信号が生成された可能性がある。このことは、ＲＦＩＤタグの位置もまた個別に一部分の情報として使用され得ることを示す。
【０１０１】
クランプＫ’’’は現在主製品３０及び２つの副製品３２を保持し、その副製品折り曲げ部３６は主製品折り曲げ部３４内にあるので、クランプＫ’’’もまた正しく装填されていない。ちょうど説明したように配置された読み取り／書き込みユニット１２が、主製品３０上のＲＦＩＤタグ１００及び副製品３２上の２つのＲＦＩＤタグ２００からの応答信号を調整された共同応答信号として読み取り、従って上記のように関連するクランプＫ’’’に伝達された間違いの信号を生成した。
【０１０２】
クランプＫ’’’’は主製品３０内に正しく配向された副製品３２のように、明らかに配置されている間違った追加の副製品３８を含むので、同様に正しく装填されていない。従って読み取り／書き込みユニット１２は、主製品３０上のＲＦＩＤタグ１００からの応答信号及び追加の副製品３８上のＲＦＩＤタグ２００ａからの応答信号を読み取り、従って上記のように関連するクランプＫ’’’’に伝達された間違いの信号を生成した。
【０１０３】
ＲＦＩＤタグからの情報は読み取り／書き込みユニットにより非接触に視認なしに読み取り可能であるので、読み取り／書き込みユニットはかなりの自由度で追加処理設備中の適切な位置に、例えば運搬装置に沿って取り付けられることが可能である。リーダとＲＦＩＤタグとの間の視認が必要ではないので、タグは製品の任意の側面に、又は任意の側面上に取り付けられることができ、図８に示す場合、内側を含み、読み取り及び／又は書き込みのために製品を開ける、分離する、外す、又は他の取扱いをする必要がなく、このことは光学的検査方法に優る重要な利点である。
【０１０４】
製品は再びクランプ内に示されるが、技術的な教示はポケット型又ははしご状コンベアとして既知のものに当然、完全に移転可能であるということが当業者にとって明確である。
【０１０５】
図９（ａ）及び９（ｂ）は製品の配向を検査することにより本発明の追加の適用の機会を示すように意図されている。図９（ａ）及び９（ｂ）はそれぞれ、運搬方向Ｆに運搬される部分的に重なった製品２の流れを示す。破線矢印は、運搬の方向が反対方向になっても後続の検査には重要ではないことを示す。同時に製品２上のＲＦＩＤタグ１００がむき出しであるか又は他の製品によっておおわれているかどうかは重要ではない。ＲＦＩＤタグ１００は製品２の側面開放端部２４の領域に配置されているので、読み取り／書き込みユニット１２上のアンテナもまた通常はＲＦＩＤタグ１００を含むこの領域に配置される。部分的に重なった流れの中で間違って配向された製品がないことを保証するために、通常は側面開放端部２４の反対側にある製品の追加の側面開放端部２４ａが、追加の読み取り／書き込みユニット１２ａ上のアンテナの配置を含む。
【０１０６】
図９（ａ）では、すべての製品が部分的に重なった流れの中で所望されるように配向されており、これにより読み取り／書き込みユニット１２がすべてのＲＦＩＤタグ１００からの信号を読み取ることができるが、一方、読み取り領域にＲＦＩＤタグがないので、読み取り／書き込みユニット１２ａはどの種類の信号もまったく受信しない。実施例として、その折り曲げ部２２ではなく開放端部２６が運搬方向Ｆの前部又は後部にあるので、運搬速度及び／又は読み取り／書き込みユニット１２の設置が設定される方法に依存して、読み取り／書き込みユニット１２は、製品が運搬方向Ｆに正しく配向されているが、意図された横配向に比較して逆に配向されたのがいつかを検出することもできる。これにより読み取り／書き込みユニット１２が２つ以上のＲＦＩＤタグ１００からの重なった信号を読み取ることができ、間違いのメッセージが生成されることができる。
【０１０７】
図９（ｂ）では先頭の製品２ａが他の製品に比較して間違って配向され、製品２及び追加の製品を引き連れている。その結果、追加の読み取り／書き込みユニット１２ａは応答信号を受信し、間違いのメッセージを生成する。本発明の追加の実施形態では、２つの読み取り／書き込みユニット１２及び１２ａは互いに検査し合う。本発明の教示が変更すべきところは変更して、読み取り／書き込みユニット１２が先頭の製品２自体からの応答信号が欠如しているために間違いのメッセージが生成される状況に対してもまた移転することができることを当業者なら理解するであろう。間違いのメッセージが一部分の制御情報としてその後使用され続けることが可能である。
【０１０８】
経験では、１つのＲＦＩＤタグ１００から次のＲＦＩＤタグ１００までの運搬方向Ｆへの距離が短いと、ＲＦＩＤタグから応答信号を明確に読み取ることができるためにやはり十分であることを示す。
【０１０９】
本発明の別の実施形態では、間違った製品配向に関連する起こり得る間違いのメッセージが、同じ読み取り／書き込みユニット１２又は下流の読み取り／書き込みユニットによって、そのように間違って配向された製品２ａ上の各ＲＦＩＤタグ１００に戻されて、この情報を関連するＲＦＩＤタグのメモリに書き込むことにより、間違って配向された問題の製品の追加処理に影響を与えるようになる。別の有利な実施形態に沿って、製品情報及び／又は制御情報及び／又は特定の名宛人情報などの追加の情報は、特定の製品又は副製品のＲＦＩＤタグ、或いは例えば追加印刷処理中のすべての製品又は副製品のＲＦＩＤタグの１つ又は複数のメモリに、書き込みステーション又は読み取り／書き込みステーションによって書き込まれる。
【０１１０】
図１０（ａ）〜１０（ｃ）は本発明の別の適用の機会を示すように意図されたものである。実際は、印刷産業用のこの種の副製品はしばしば外部の供給者から配送される。この場合、副製品３２、３２ａ、３２ｂは図１０（ａ）に示すように互いに隣接し、後に小さい板４２と呼ばれ、このようなスタック及びストラップ４４の端部に配置されてバー４０（図１０（ｂ）参照）として既知のものを形成する端部部分４２によって一体に保持される。この種のバー４０が使用されるとき、例えば図１４に示すように、このバーが間違った配向で追加処理に入る危険が実際にあり、その結果、副製品は組立済み最終製品の中で横にゆがみ、又は上下逆になる。
【０１１１】
もし将来供給者がＲＦＩＤタグを有するすべての副製品３２、３２ａ、３２ｂを供給するならば、これらのＲＦＩＤタグの中に含まれる情報はその後の組立操作への入り口で検査及び品質保証のために使用され続けることが可能である。実施例として、この説明の他の個所で詳しくすでに記載したように、読み取り／書き込みユニット１２が、バー４０からの除去中に間違った副製品２００ａ、２００ｂ又は間違って配向された副製品２００ａ、２００ｂを識別し、それらを好機に分離するために使用されることが可能であり、その結果、間違って編集された最終製品が製造されることはない。
【０１１２】
代わりに、携帯又は固定式読み取り／書き込みユニット１２が図１０（ｂ）のバー４０のバー縁部４６及び／又はバー縁部４６ａ、４６ｂに沿って動き、それが図１０（ｃ）に簡単に示されており、バー４０が実際に追加処理に入る前に副製品の配向を検査するようになる。図１０（ａ）に示すように副製品が配置されるとき、バー縁部４６ｂの読み取り／書き込みユニット１２が間違った副製品３２ａ、３２ｂ又は間違って配向された副製品３２ａ、３２ｂからの間違いの応答信号を読み取り、追加処理のために好機に適切な予防措置を取ることが可能である。読み取り／書き込みユニット１２がバー縁部４６ｂに沿って動くとき、応答信号はまったく読み取られず、それで図１０（ａ）に示す間違った副製品の編集が検出されない。
【０１１３】
バーに広範囲の様々な副製品があるが、しかしそれらのＲＦＩＤタグがすべてバー縁部４６の領域に位置するならば、その時は読み取り／書き込みステーション１２がやはり間違いを検出する。
【０１１４】
小さい板４２自体が単一ビット又はマルチビットタグ３００を備え付けられ、副製品が小さい板に対してあらかじめ定義された方向に配向されるならば、バー４０の配向は追加処理操作に入ったときに確立されることができ、もし適切であれば、やはり好機に訂正されることができる。ＲＦＩＤタグ３００は、個々にアンテナ及び動作可能にそれに接続されているチップを備える能動応答ＲＦＩＤタグ３００であってもよい。
【０１１５】
当業者は、変更すべきところは変更して、本発明の教示を、副製品自体ではなくバー４０上の小さい板４２のみがＲＦＩＤタグ３００を備え付けられるが場合に移転することもあろう。それによって、もしバー内の副製品が小さい板に対して正しく配向されたならば、追加処理操作に副製品が供給されるとき、副製品の少なくとも正しい配向が保証されることが可能である。別の実施形態では、ストラップ４４自体がＲＦＩＤタグを備え付けられる。
【０１１６】
図１１は、本発明の別の適用機会の単なる概略図を提供する実施例を使用することを意図するものである。製品２ｂの製造者用に、この時点で図２に関連する説明に参照がなされる。図２と対照的に、この場合の読み取り／書き込みステーション１２は、準完成製品２ｂ上の単一ビット又はマルチビットＲＦＩＤタグ１０ｂのメモリに書き込まれる情報を上位制御システム５０から備え付けられる。その後の追加取扱いステップはこの出願の適用機会を理解するために重要ではないので、それらは単に追加取扱い装置５２、５４と言及される。この場合、追加取扱い装置５２は、例えば出願人からの収集ドラムであってもよく、１時間につき４００００から約８００００を超える製品の処理速度を達成するために使用されることができ、一方、追加取扱い装置５４は、例えば出願人からの切断ドラムによって形成される。製品の材料の流れは図が見やすいように矢印によって単に様式化された形態で示される。
【０１１７】
製品２が追加取扱い装置５２の後に経路を外れるとき、それらは追加読み取り／書き込みステーション１２ａに沿って運搬され一時的に、装置内の中間処理（詳しく記載せず）を使用する又は中間処理を受けるまで、例えばローラ５６として既知のものの上に記憶される。読み取り／書き込みステーション１２ａは、そのアンテナの範囲内に位置するＲＦＩＤタグを備え付けられたすべての製品からの応答信号についての情報を上位制御システム５０に転送し、その結果、この制御システムはどの製品又は副製品が追加取扱い装置５４への供給ラインから分岐した、又は経路から外れたかを常に知っている。図１１に示す連続図から、事前に経路から外れた製品が戻され又は経路に入るとき、それらは追加読み取り／書き込みステーション１２ｂに沿って送られ、従ってＲＦＩＤタグからの個々の製品情報項目がオンラインで上位制御システム５０に転送され、その結果、製品の流れが常に本質的に完全に監視される。
【０１１８】
実施例として、この種の外側の変形は、新聞が編集されるまで再び必要でない新聞の束などの副製品の一時記憶用に特に適切であることは言うまでもない。この場合、製品上のＲＦＩＤタグはダイバータ６２、６２ａなどの設備自体を制御することができ、又はこれらは同様に上位制御システム５０によって制御される。
【０１１９】
本発明のこの実施形態から、当業者は内側及び外側の変化が既知の実時間モードで実行可能であり、ＲＦＩＤタグが既知の単一ビット又はマルチビット情報を持ち運ぶかどうかは重要でないことを理解するであろう。従って、実施例として、最終製品に処理される前に繰り返して製品が経路に入り及び経路から出ることもまた可能である。
【０１２０】
図１２ａ及び１２ｂは追加の本発明の適用の機会を説明するために使用される。２つの異なる主製品３０、３０ａは、折り曲げ部２２の領域及び側面開放端部２４の領域の適切な異なるＲＦＩＤタグ１００及びＲＦＩＤタグ２００で事前に印を付けられ、現在運搬方向Ｆに追加の取扱いステーション５２、５４に沿って運搬されている。この場合、これらの追加の取扱いステーション５２、５４は、異なる副製品３２、３２ａ、例えば挿入シート、はがき及び／又は広告試供品などの地域特定副製品３２、３２ａを主製品３０、３２から読み取った信号により、関連する主製品３０、３２の中に挿入するフィーダ５２、５４によって形成される。先頭の製品３０ａ上のＲＦＩＤタグ２００はフィーダ５２に関連付けられた読み取り／書き込みステーション１２に沿って運搬されるとき信号を誘発せず、それは副製品３２を装填されていないからである。対照的に、追加の読み取り／書き込みステーション１２ａは先頭の製品３０ａが副製品を装填されていないと検出し、従って副製品３２ａの挿入をそれに関連付けられた追加のフィーダ５２に促進する。同じことが主製品３０に同様に起こる。挿入は図１２ａ、１２ｂで象徴的に示されているだけであり、従って挿入は図示された配置の底部から起こる。図１２ａは第２の製品３０の連続がその後に続く、先頭の第１の製品３０ａの連続を示し、図１２ｂでは製品３０、３０ａが任意に混合されている。読み取り／書き込みステーション１２、１２ａ上の各読み取り信号の正確な検出は、やはり所望の結果につながる。本発明の重要な利点は、主製品及び副製品３０、３０ａ、３２、３２ａの個別化された組立が、上位制御システムからの任意の直接の制御指示なしに、単に各ＲＦＩＤタグ内に含まれた情報に基づき信頼性のある制御が可能になるということである。
【０１２１】
情報が製品上のＲＦＩＤタグではなくクランプ上のＲＦＩＤタグにあるならば、図６（ａ）〜６（ｉ）に関連してすでに説明したように、適用のための同じ機会が達成可能であると当業者は理解するであろう。
【０１２２】
副製品が鞍部によって支持されたその折り曲げ部３６を有し、例えば収集、実施例として、ステープル固定ステーション、検出ステーション、接着ステーション、ページングステーション、切断ステーション、宛先指定ステーション、梱包ステーションなどの場合に、追加の副製品及び／又は主製品がまたがって両側に取り付けられる状況で本発明の教示が変更すべきところは変更して移転されることもできることを理解することは当業者にとって簡単である。
【０１２３】
図１２に関連して説明した適用のための機会の文脈の中で、その後の操作を制御するための本発明の追加の適用機会として、図１３に示す設備が、地域特定副製品３２、３２ａ上の様々なＲＦＩＤタグ１００及びＲＦＩＤタグ２００を含み、読み取り／書き込みステーション１２によって読み取られることによりその追加のコースを制御し、従ってそれによりダイバータ６２がそれらを第１の方向Ａ又は第２の方向Ｂに送ることを促進する。図１２ａ及び１２ｂにおけるように、未装填又は装填済み主製品が運搬手段によって運搬方向Ｆに運搬されるが、詳しくは説明しない。挿入は、同様に図１３に象徴的に示されるだけであり、従って示された配置では挿入は底部から起こる。図１２ａ及び１２ｂと対照的に、詳しく示されないが、運搬経路のループ６４は、主製品６０が、例えばフィーダステーション５４とフィーダステーション５２との間でやはり追加の取扱いステップを受け、及び／又はバッファに移され、及び／又は経路へ入る、若しくは再び経路から出ることを示す。図１２ａ及び１２ｂのように、様々な副製品３２、３２ａが収集され、又は副製品に関連付けられたフィーダ５２、５４によって主製品の中に挿入される。図１２ａ及び１２ｂと対照的に、これらは、その後副製品３２又は３２ａのどちらか一方の供給の結果としてのみ最終製品になる現在中間の主製品６０である。実施例として、このような配置により、地域ごとに分けられた副製品３２、３２ａ自体が、発送のための上位システムを必要とせずに発送指示を決定することができる。
【０１２４】
図より、図１３の主製品が中間製品、即ちＲＦＩＤタグのない主製品６０ではなく、ＲＦＩＤタグを装備された主製品であるが、その情報がこの場合は読み取られないという状況に、変更すべきところは変更して、本発明の教示を移転することができると理解することは、当業者にとって容易なことであろう。さらにこの時点で、この説明の中で主製品及び／又は最終製品と言及されるすべての製品はそれ自体が上位印刷製品の副製品になることができることを理解するべきである。本発明の追加の実施形態では、さらに複雑な配布の解決が、縦続接続された連続に結合された複数のダイバータ６２によって履行される。加えて、情報が製品上のＲＦＩＤタグ上ではなくクランプ上のＲＦＩＤタグ上にあるならば、すでに図６（ａ）〜６（ｉ）に関連して説明したように、又は製品が、変更すべきところは変更して、鞍部、例えばはしご状コンベアによって支持され、変更すべきところは変更して、収集されるならば、適用のための同じ機会が達成可能であることを当業者なら理解するであろう。
【０１２５】
図１４は複雑な印刷製品を製造するための複雑な設備の非常に概略的な実施例として働くことを意図したものである。この場合、一点鎖線は運搬方向Ｆの運搬経路を示す。実施例として、製品処理１１ａ、１１ｂは、要求されるように特定のＲＦＩＤタグを副製品又はこの場合は主製品にもまた直接取り付ける高容量印刷機械であってもよい。追加取扱い装置５６、５６ａが例えば巻取り装置によって形成される。さらに下流では、製品がフィーダ５２、５４などの追加取扱い装置に供給され、フィーダ５２、５４としては、ＲＦＩＤタグに記憶された情報によりダイバータ６２、６２ａによって複数のバー４０、４０ａ、４０ｂ、４０ｃ、４０ｄ、４０ｅを備える複数の副製品を含むことができる。次いで、最終製品は、例えば発送装置６６、６６ａによって形成された追加取扱い装置内で発送用に準備される。全体的な製品の連続は、製品自体又は示されない上位制御ユニットによって検出及び／又は制御されることが可能である。
【０１２６】
上記の適用のための機会が、より複雑な検出及び／又は制御課題に対処するために所望のように互いに結合可能であることを当業者なら理解することは容易なことであろう。
【符号の説明】
【０１２７】
Ｆ  運搬方向
Ｋ、Ｋ’、Ｋ’’、Ｋ’’’、Ｋ’’’’  クランプ
１０ａ  作成された空の１ビットＲＦＩＤタグ又はマルチビットＲＦＩＤタグ
１１ａ、１１ｂ  製品処理
２、２ａ、２ｂ、２ｃ、２ｄ、２ｅ、２ｆ、２ｇ、２ｈ  製品
１２、１２ａ  読み取りステーション、書き込みステーション、又は読み取り／書き込みステーション
１０ｂ  個々に作成されたＲＦＩＤタグ
１３  ワークステーション
２２  折り曲げ部
２４、２４ａ  製品の側面開放端部
２６  製品の開放端部
３０、３０ａ  主製品
３２、３２ａ、３２ｂ  副製品
３４  主製品折り曲げ部
３６  副製品折り曲げ部
３８  追加副製品
４０、４０ａ、４０ｂ、４０ｃ、４０ｄ、４０ｅ  バー
４２  端部部分又は小さい板
４４  ストラップ
３００  追加のＲＦＩＤタグ
４６、４６ａ、４６ｂ  バー縁部
５０  上位システム
５２、５４  追加取扱い装置
５６、５６ａ  別の追加取扱い装置、ローラ
６０  ＲＦＩＤタグが取り付けられていない中間主製品
６２、６２ａ  ダイバータ
６４  ループ
６６、６６ａ  発送装置
１００  情報を運ぶＲＦＩＤタグ
２００、２００ａ、２００ｂ  情報を運ぶ追加ＲＦＩＤタグ
ａ、ａ０、ａ１、４１０、４２０、４３０、４４０  振幅
Δ、４１１、４２１  差、振幅差
４０１、４０２、４０３、４０４、５０１、５０２  共振曲線
ｆ、ｆ０、ｆｉ、ｆｊ  周波数
【図１】
2010505716.tif 000003
【図２】
2010505716.tif 000004
【図３】
2010505716.tif 000005
【図４】
2010505716.tif 000006
【図５】
2010505716.tif 000007
【図６】
2010505716.tif 000008
【図７】
2010505716.tif 000009
【図８】
2010505716.tif 000010
【図９】
2010505716.tif 000011
【図１０】
2010505716.tif 000012
【図１１】
2010505716.tif 000013
【図１２ａ】
2010505716.tif 000014
【図１２ｂ】
2010505716.tif 000015
【図１３】
2010505716.tif 000016
【図１４】
2010505716.tif 000017
【手続補正書】
【提出日】平成21年6月16日(2009.6.16)
【手続補正１】
【補正対象書類名】図面
【補正対象項目名】図３
【補正方法】変更
【補正の内容】
【図３】
2010505716.tif 000018
【手続補正２】
【補正対象書類名】図面
【補正対象項目名】図５
【補正方法】変更
【補正の内容】
【図５】
2010505716.tif 000019
【手続補正３】
【補正対象書類名】図面
【補正対象項目名】図１１
【補正方法】変更
【補正の内容】
【図１１】
2010505716.tif 000020
【国際調査報告】
2010505716.tif 000021
2010505716.tif 000022
2010505716.tif 000023
2010505716.tif 000024
2010505716.tif 000025
2010505716.tif 000026
2010505716.tif 000027
2010505716.tif 000028
2010505716.tif 000029
2010505716.tif 000030